(57)【要約】【解決手段】本開示の実施形態は、無線通信ネットワークにおける、ハイブリッド自動再送要求（ＨＡＲＱ）送達確認（ＡＣＫ）コードブックを決定するデバイス、方法、コンピュータ可読媒体、およびシステム構成を説明する。
2015515786.tif 000002
【特許請求の範囲】
【請求項１】
複数のサービングセルを介して通信するトランシーバモジュールおよび前記トランシーバモジュールに結合されたフィードバック制御器を備え、
前記複数のサービングセルのうちの少なくとも２つは異なる時分割デュープレックス（ＴＤＤ）上りリンク下りリンク（ＵＬ−ＤＬ）構成を有し、
前記フィードバック制御器は、下りリンク割り当てインデックス（ＤＡＩ）を取得し、前記複数のサービングセルのうちの第１のサービングセルのバンドリングウィンドウ内の複数の下りリンクサブフレームの数を決定し、
前記バンドリングウィンドウの前記複数の下りリンクサブフレームは、対応するハイブリッド自動再送要求送達確認情報（ＨＡＲＱ−ＡＣＫ情報）の送信のための上りリンクサブフレームに関連付けられ、
さらに前記フィードバック制御器は、前記第１のサービングセルに対応し、前記上りリンクサブフレームの物理上りリンク共有チャネル（ＰＵＳＣＨ）上で利用可能な複数のＨＡＲＱ−ＡＣＫビットの数を、前記ＤＡＩおよび前記複数の下りリンクサブフレームの決定された数に基づき決定する
装置。
【請求項２】
前記ＤＡＩは、前記複数のサービングセルの複数のバンドリングウィンドウ内のスケジュールされた複数の下りリンクサブフレームの数の最大値に対応し、前記複数のサービングセルの前記複数のバンドリングウィンドウ内の前記複数の下りリンクサブフレームは、前記上りリンクサブフレームに関連付けられ、
前記フィードバック制御器はさらに、前記最大値に基づき、前記複数のＨＡＲＱ−ＡＣＫビットを決定する
請求項１に記載の装置。
【請求項３】
前記ＤＡＩは、前記上りリンクサブフレームを有するサービングセルの上りリンク送信リソースを割り当てる下りリンク制御情報（ＤＣＩ）に含まれる
請求項１に記載の装置。
【請求項４】
前記ＤＣＩは、ＤＣＩフォーマット０またはＤＣＩフォーマット４のフォーマットを有する
請求項３に記載の装置。
【請求項５】
前記バンドリングウィンドウ内の複数の前記サブフレームのうちの少なくとも１つは、物理下りリンク制御チャネル（ＰＤＣＣＨ）の下りリンク制御情報（ＤＣＩ）メッセージに関連付けられる物理下りリンク共有チャネル（ＰＤＳＣＨ）送信、または、前記ＨＡＲＱ−ＡＣＫ情報が対応するユーザ機器（ＵＥ）に下りリンクのセミパーシステントスケジューリング（ＳＰＳ）リリースを示すＰＤＣＣＨ送信を含む
請求項１から４のいずれか一項に記載の装置。
【請求項６】
前記上りリンクサブフレームに関連付けられる前記バンドリングウィンドウ内の前記複数の下りリンクサブフレームの数は、通常の下りリンクサイクリックプレフィックス（ＣＰ）を有する構成０および構成５の特別なサブフレーム、または、拡張された下りリンクＣＰを有する構成０および構成４の特別なサブフレームを含まない
請求項１から４のいずれか一項に記載の装置。
【請求項７】
前記フィードバック制御器はさらに、
前記複数のサービングセルの各々に対応し、前記上りリンクサブフレームの前記ＰＵＳＣＨ上で利用可能な複数のＨＡＲＱ−ＡＣＫビットの数を決定し、および
前記複数のサービングセルの各々に対応する前記複数のＨＡＲＱ−ＡＣＫビットの決定された数に基づき、前記上りリンクサブフレームの前記ＰＵＳＣＨ上のＨＡＲＱ−ＡＣＫコードブックサイズを決定する
請求項１から４のいずれか一項に記載の装置。
【請求項８】
前記フィードバック制御器はさらに、前記複数のサービングセルの各々に対応する前記複数のＨＡＲＱ−ＡＣＫビットの決定された数を合計することにより、前記ＨＡＲＱ−ＡＣＫコードブックサイズを決定する
請求項７に記載の装置。
【請求項９】
前記フィードバック制御器はさらに、
前記ＤＡＩに対応する値を決定し、
前記決定された値または前記複数の下りリンクサブフレームの決定された数のどちらか、より小さい方を前記第１のサービングセルの前記複数のＨＡＲＱ−ＡＣＫビットの数として選択し、
前記第１のサービングセルに対する前記複数のＨＡＲＱ−ＡＣＫビットの数に基づき、前記上りリンクサブフレームの前記ＰＵＳＣＨ上のＨＡＲＱ−ＡＣＫコードブックサイズを決定する
請求項１から４のいずれか一項に記載の装置。
【請求項１０】
前記フィードバック制御器はさらに、
前記第１のサービングセルの送信モードに対する、サブフレーム毎にサポートされる複数のトランスポートブロックの数を決定し、
前記サブフレーム毎にサポートされる複数のトランスポートブロックの決定された数に基づき、前記第１のサービングセルに対する前記複数のＨＡＲＱ−ＡＣＫビットの数を決定する
請求項９に記載の装置。
【請求項１１】
前記フィードバック制御器はさらに、
前記複数のサービングセルの各サービングセルに対応するＨＡＲＱ−ＡＣＫビットの数を決定し、
前記複数のサービングセルの各サービングセルに対応する前記ＨＡＲＱ−ＡＣＫビットの決定された数に基づき、前記ＨＡＲＱ−ＡＣＫコードブックサイズを決定する
請求項９に記載の装置。
【請求項１２】
前記フィードバック制御器はさらに、
【数５８】
2015515786.tif 000065
に基づき、前記複数のサービングセルの各サービングセルに対応する前記複数のＨＡＲＱ−ＡＣＫビットの数を決定し、
ここでｃは、前記第１のサービングセルのインデックス、Ｏｃはｃ番目のサービングセルに対応する前記複数のＨＡＲＱ−ＡＣＫビットの数であり、
【数５９】
2015515786.tif 000066
は前記ｃ番目のサービングセルのバンドリングウィンドウの前記複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームを除外し、
【数６０】
2015515786.tif 000067
は前記複数のサービングセルへの上りリンクリソース割り当てに対するＤＣＩフォーマットの前記ＤＡＩに対応する前記決定された値であり、
【数６１】
2015515786.tif 000068
は前記ｃ番目のサービングセルの送信モードに対する、サブフレーム毎にサポートされる複数のトランスポートブロックの数である
請求項１１に記載の装置。
【請求項１３】
前記フィードバック制御器はさらに、
ＰＤＳＣＨ送信、および、前記複数のサービングセルの各々のバンドリングウィンドウの複数のサブフレームで受信される下りリンクのセミパーシステントスケジューリング（ＳＰＳ）リリースを示すＰＤＣＣＨ送信の数を決定し、
ＰＤＳＣＨ送信、および、前記複数のサービングセルの各々のバンドリングウィンドウの複数のサブフレームで受信される下りリンクのＳＰＳリリースを示すＰＤＣＣＨ送信の前記決定された数の最大値を決定し、
前記決定された最大値に基づき、前記複数のＨＡＲＱ−ＡＣＫビットの数を決定する
請求項９に記載の装置。
【請求項１４】
前記フィードバック制御器はさらに、
【数６２】
2015515786.tif 000069
に基づき、各サービングセルに対応する前記複数のＨＡＲＱ−ＡＣＫビットの数を決定し、
ここでｃは、サービングセルインデックス、Ｏｃはｃ番目のサービングセルに対応する前記複数のＨＡＲＱ−ＡＣＫビットの数、
【数６３】
2015515786.tif 000070
は前記ｃ番目のサービングセルのバンドリングウィンドウにおける前記複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外し、
【数６４】
2015515786.tif 000071
は前記ＤＡＩに対応する前記値、Ｕは前記決定された最大値であり、
【数６５】
2015515786.tif 000072
は前記ｃ番目のサービングセルの送信モードに対する、サブフレーム毎にサポートされるトランスポートブロックの数である
請求項１３に記載の装置。
【請求項１５】
前記フィードバック制御器はさらに、
【数６６】
2015515786.tif 000073
に基づき、ＨＡＲＱ−ＡＣＫコードブックサイズＯを決定し、
ここで
【数６７】
2015515786.tif 000074
は前記複数のサービングセルの総数である
請求項１４に記載の装置。
【請求項１６】
前記フィードバック制御器はさらに、
前記複数のサービングセルのうちの少なくとも１つのサービングセルのＨＡＲＱタイミング参照構成が、ＵＬ−ＤＬ構成５である場合、
【数６８】
2015515786.tif 000075
に基づいて各サービングセルに対応する前記複数のＨＡＲＱ−ＡＣＫビットの数を決定し、
前記複数のサービングセルのＨＡＲＱタイミング参照構成がどれもＵＬ−ＤＬ構成５でない場合、
【数６９】
2015515786.tif 000076
に基づき、前記複数のサービングセルの各サービングセルに対応する前記複数のＨＡＲＱ−ＡＣＫビットの数を決定し、
ここでｃはサービングセルインデックス、Ｏｃはｃ番目のサービングセルに対応する前記複数のＨＡＲＱ−ＡＣＫビットの数、
【数７０】
2015515786.tif 000077
は前記ｃ番目のサービングセルのバンドリングウィンドウ内の前記複数の下りリンクサブフレームの数、
【数７１】
2015515786.tif 000078
は上りリンクリソース割り当てに対するＤＣＩフォーマットの前記ＤＡＩに対応する前記値、Ｕは前記決定された最大値、および
【数７２】
2015515786.tif 000079
は前記ｃ番目のサービングセルの送信モードに対する、サブフレーム毎にサポートされるトランスポートブロックの数である
請求項１３に記載の装置。
【請求項１７】
前記上りリンクサブフレームは、前記複数のサービングセルの第２のサービングセル内にある
請求項１から４のいずれか一項に記載の装置。
【請求項１８】
前記複数のＨＡＲＱ−ＡＣＫビットの数は、前記第１のサービングセルの前記バンドリングウィンドウの前記複数の下りリンクサブフレームに対応する
請求項１から４のいずれか一項に記載の装置。
【請求項１９】
前記バンドリングウィンドウの前記複数の下りリンクサブフレームの、前記上りリンクサブフレームとの関連は、予め決められたＨＡＲＱ−ＡＣＫタイミング参照に基づく
請求項１８に記載の装置。
【請求項２０】
プログラムであって、ユーザ機器（ＵＥ）に、
通信するために、複数のサービングセルを構成させ、
前記複数のサービングセルの個々のサービングセルに対するバンドリングウィンドウのサイズを決定させ、
前記複数のサービングセルの前記バンドリングウィンドウ内のスケジュールされた複数の下りリンクサブフレームの最大数に対応する値を決定させ、
前記バンドリングウィンドウのサイズおよび前記決定された値に基づき、前記複数のサービングセルの前記バンドリングウィンドウに関連付けられる第１の上りリンクサブフレーム上のＨＡＲＱ−ＡＣＫコードブックのサイズを決定させ、
前記複数のサービングセルのうち少なくとも２つは、異なる時分割デュープレックス（ＴＤＤ）上りリンク下りリンク（ＵＬ−ＤＬ）構成を有する
プログラム。
【請求項２１】
プログラムであって、前記ＵＥにさらに、
下りリンク割り当てインデックスを取得させ、
前記下りリンク割り当てインデックスに基づき、前記値を決定させる
請求項２０に記載のプログラム。
【請求項２２】
プログラムであって、前記ＵＥにさらに、
前記複数のサービングセルのうちの少なくとも１つのサービングセルのＨＡＲＱタイミング参照構成が、構成５である場合、
【数７３】
2015515786.tif 000080
に基づき、前記個々のサービングセルのバンドリングウィンドウに対する複数のＨＡＲＱビットの数を決定させ、
前記複数のサービングセルのＨＡＲＱタイミング参照構成が、どれも構成５ではない場合、
【数７４】
2015515786.tif 000081
に基づき、前記個々のサービングセルのバンドリングウィンドウに対する前記複数のＨＡＲＱビットの数を決定させ、
ここでｃは、第１のサービングセルのインデックス、Ｏｃはｃ番目のサービングセルに対応する複数のＨＡＲＱビットの数、
【数７５】
2015515786.tif 000082
は前記ｃ番目のサービングセルのバンドリングウィンドウにおける複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外し、
【数７６】
2015515786.tif 000083
は前記複数のサービングセルに対する前記決定された値、Ｕｃは、物理下りリンク共有チャネル（ＰＤＳＣＨ）送信、および、前記ｃ番目のサービングセルのバンドリングウィンドウのサブフレームで受信される下りリンクのセミパーシステントスケジューリング（ＳＰＳ）リリースを示す物理下りリンク制御チャネル（ＰＤＣＣＨ）送信の数、Ｕは、前記Ｕｃの最大値であり、
【数７７】
2015515786.tif 000084
は前記ｃ番目のサービングセルの送信モードに対する、サブフレーム毎にサポートされるトランスポートブロックの数である
請求項２１に記載のプログラム。
【請求項２３】
プログラムであって、前記ＵＥにさらに、前記ＨＡＲＱ−ＡＣＫコードブックの前記決定されたサイズに基づき、ＨＡＲＱ−ＡＣＫシンボルで物理上りリンク共有チャネル（ＰＵＳＣＨ）のリソース要素をパンクチャリングさせる
請求項２０から２２のいずれか一項に記載のプログラム。
【請求項２４】
プログラムであって、フィードバック制御器に、
下りリンク割り当てインデックス（ＤＡＩ）を取得させ、
複数の構成されたサービングセルのうちの少なくとも１つのサービングセルのＨＡＲＱタイミング参照構成が、構成５である場合、
【数７８】
2015515786.tif 000085
に基づき、各サービングセルに対応する複数のＨＡＲＱ−ＡＣＫビットの数を決定させ、
前記複数の構成されたサービングセルの前記ＨＡＲＱタイミング参照構成が、どれも構成５ではない場合、
【数７９】
2015515786.tif 000086
に基づき、前記複数の構成されたサービングセルの各サービングセルに対応する前記複数のＨＡＲＱ−ＡＣＫビットの数を決定させ、
ここでｃは、サービングセルインデックス、Ｏｃはｃ番目のサービングセルに対応する複数のＨＡＲＱ−ＡＣＫビットの数、
【数８０】
2015515786.tif 000087
は前記ｃ番目のサービングセルのバンドリングウィンドウにおける複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外し、
【数８１】
2015515786.tif 000088
は上りリンクリソース割り当てに対する下りリンク制御情報（ＤＣＩ）フォーマットの前記ＤＡＩに対応する値、Ｕｃは、物理下りリンク共有チャネル（ＰＤＳＣＨ）送信、および、前記ｃ番目のサービングセルのバンドリングウィンドウの複数のサブフレームで受信される下りリンクのセミパーシステントスケジューリング（ＳＰＳ）リリースを示す物理下りリンク制御チャネル（ＰＤＣＣＨ）送信の数、Ｕは、前記Ｕｃの最大値であり、
【数８２】
2015515786.tif 000089
は前記ｃ番目のサービングセルの送信モードに対する、サブフレーム毎にサポートされるトランスポートブロックの数である
プログラム。
【請求項２５】
プログラムであって、前記フィードバック制御器にさらに、
前記複数の構成されたサービングセルのプライマリサービングセル（ＰＣｅｌｌ）に対するシステム情報ブロック１（ＳＩＢ１）構成を決定させ、
前記複数の構成されたサービングセルの第２のセカンダリサービングセル（ＳＣｅｌｌ）に対するＳＩＢ１構成を決定させ、
前記ＰＣｅｌｌの前記ＳＩＢ１構成および前記ＳＣｅｌｌの前記ＳＩＢ１構成に基づき、前記ＳＣｅｌｌに対するＨＡＲＱタイミング参照構成を決定させる
請求項２４に記載のプログラム。
【請求項２６】
プログラムであって、前記フィードバック制御器にさらに、
前記決定されたＨＡＲＱタイミングの参照構成に基づき、前記ＳＣｅｌｌのバンドリングウィンドウの複数の下りリンクサブフレームの数を決定させる
請求項２５に記載のプログラム。
【請求項２７】
プログラムであって、前記フィードバック制御器にさらに、
前記複数の構成されたサービングセルのプライマリサービングセル（ＰＣｅｌｌ）に対するＵＬ−ＤＬ構成を決定させ、
前記複数の構成されたサービングセルの第２のセカンダリサービングセル（ＳＣｅｌｌ）に対するＵＬ−ＤＬ構成を決定させ、
前記ＰＣｅｌｌの前記ＵＬ−ＤＬ構成および前記ＳＣｅｌｌの前記ＵＬ−ＤＬ構成に基づき、前記ＳＣｅｌｌのＨＡＲＱタイミング参照構成を決定させる
請求項２４に記載のプログラム。
【請求項２８】
プログラムであって、前記フィードバック制御器にさらに、
前記複数のＨＡＲＱ−ＡＣＫビットの決定された数で、物理上りリンク共有チャネル（ＰＵＳＣＨ）のリソース要素をパンクチャリングさせる
請求項２４から２７のいずれか一項に記載のプログラム。
【発明の詳細な説明】
【技術分野】
【０００１】
［関連出願の相互参照］
本願は、２０１２年８月２３日に出願された「ＨＡＲＱ／ＡＣＫ  ＣＯＤＥＢＯＯＫ  ＳＩＺＥ  ＤＥＴＥＲＭＩＮＡＴＩＯＮ」と題する米国特許出願第１３／５９３，０４４号、および２０１２年３月１６日に出願された「ＷＩＲＥＬＥＳＳ  ＣＯＭＭＵＮＩＣＡＴＩＯＮ  ＳＹＳＴＥＭＳ  ＡＮＤ  ＭＥＴＨＯＤＳ」と題する米国仮特許出願第６１／６１２，１８８号の優先権を主張し、それらは全ての目的のために、その全体が参照により本明細書に組み込まれる。
【０００２】
本発明の実施形態は、概して通信分野に関し、特に無線通信ネットワークにおける、ハイブリッド自動再送要求送達確認（ＨＡＲＱ−ＡＣＫ）コードブックのサイズ決定に関する。
【背景技術】
【０００３】
第３世代パートナーシッププロジェクト（３ＧＰＰ）ロングタームエボリューション（ＬＴＥ）規格のリリース８は、物理上りリンク共有チャネル（ＰＵＳＣＨ）上の上りリンク制御情報（ＵＣＩ）のピギーバックについて説明されている。チャネル品質指標／プレコーディングマトリクス指標（ＣＱＩ／ＰＭＩ）リソースは、上りリンク共有チャネル（ＵＬ−ＳＣＨ）データソースの先頭に位置し、次のサブキャリアに続く前に、１つのサブキャリアの全てのＳＣ−ＦＤＭＡ（シングルキャリア周波数分割多元接続：ｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルに連続的にマッピングされる。ＵＬ−ＳＣＨデータは、ＣＱＩ／ＰＭＩデータ付近にレートマッチングされる。ＨＡＲＱ−ＡＣＫリソースは、ＰＵＳＣＨデータリソース要素（ＲＥ）をパンクチャリングすることによって、ＳＣ−ＦＤＭＡシンボルにマッピングされる。ＨＡＲＱ−ＡＣＫシンボルによってパンクチャリングされたＰＵＳＣＨ  ＲＥを減らすことにより、ＰＵＳＣＨ性能が改善されるであろう。
【０００４】
以上を考慮し、リリース８版は、バンドリングウィンドウにおける下りリンク（ＤＬ）割り当て総数を示すために用いられる、下りリンク制御情報（ＤＣＩ）フォーマット０および／またはフォーマット４の２ビットの下りリンク割り当てインデックス（ＤＡＩ）
【数１】
2015515786.tif 000003
を提供する。バンドリングウィンドウサイズをＭとすると、検出されたＰＤＣＣＨに基づき、ＰＵＳＣＨ送信がＤＣＩフォーマット０および／またはフォーマット４に合わせて調整されると、Ｍビットよりも
【数２】
2015515786.tif 000004
のＨＡＲＱ−ＡＣＫビットのみが、送信しているデバイス、例えば、エンハンスト基地局（ｅＮＢ）、にフィードバックされる必要がある。このように、
【数３】
2015515786.tif 000005
で表される、ｅＮＢによってスケジューリングされなかったＤＬサブフレームに対応する、無用なＨＡＲＱ−ＡＣＫビットが減らされる。
【０００５】
ＬＴＥ規格（リリース１−１０）のリリース１０は、２以上のコンポーネントキャリア（ＣＣ）がデータ送信に用いられ得る、「キャリアアグリゲーション」を導入している。リリース１０の時分割デュープレックス（ＴＤＤ）システムにおいて、ＰＵＳＣＨ上のピギーバックの場合は、ＨＡＲＱ−ＡＣＫコードブックサイズは、ＣＣ数、ＣＣの構成された送信モード、およびバンドリングウィンドウ内の下りリンクサブフレーム数により決定される。ＴＤＤ  ＵＬ−ＤＬ構成１−６において、およびＰＵＣＣＨフォーマット３がＨＡＲＱ−ＡＣＫの送信のために構成される場合、ＨＡＲＱ−ＡＣＫコードブックサイズは以下の式によって決定される。
【数４】
2015515786.tif 000006
ここで、Ｃは構成されたＣＣ数，Ｃ２は、２つのトランスポートブロックの受信を可能にする多入力多出力（ＭＩＭＯ）送信モードで構成されたＣＣ数、
【数５】
2015515786.tif 000007
は、ＵＥが、ｃ番目のサービングセルに対するＨＡＲＱ−ＡＣＫビットをフィードバックする必要がある下りリンクサブフレーム数である。ＴＤＤ  ＵＬ−ＤＬ構成１，２，３，４，および６に対して、ＵＥは、ＰＵＳＣＨサブフレームｎ上の
【数６】
2015515786.tif 000008
を以下のように仮定する。
【数７】
2015515786.tif 000009
ここで、
【数８】
2015515786.tif 000010
は以下の表に従い、ＤＣＩフォーマット０および／またはフォーマット４のＤＡＩによって決定される。
【表１】
2015515786.tif 000011
【０００６】
ＤＡＩは、各サービングセルのサブフレームｎと予め決められた関連性を有するサブフレームで通信され得る。例えば、ＤＡＩは、サブフレームｎ−ｋ´で通信され得て、ここで、ｋ´は、以下の表で定義される。
【表２】
2015515786.tif 000012
【０００７】
リリース１０においては、各サービングセルのＴＤＤ  ＵＬ−ＤＬ構成は常に同一であり、
【数９】
2015515786.tif 000013
はバンドリングウィンドウサイズを絶対に超えることはないので、
【数１０】
2015515786.tif 000014
によって決定されるＨＡＲＱ−ＡＣＫコードブックサイズは、常に最小ＨＡＲＱ−ＡＣＫビット数に等しく、ＨＡＲＱ−ＡＣＫのオーバーヘッドとＨＡＲＱ−ＡＣＫの性能との間の最良のトレードオフとなっている。
【０００８】
３ＧＰＰ  ＬＴＥ規格のリリース１１では、各サービングセルで異なるＵＬ−ＤＬ構成をもつＣＣを有するＴＤＤのインターバンドＣＡがサポートされている。異なるサービングセルが異なるＵＬ−ＤＬ構成を有すると、結果的にＨＡＲＱ−ＡＣＫバンドリングウィンドウも異なり得る。ゆえに、以前のリリースにおけるＵＬグラントベースのＨＡＲＱ−ＡＣＫコードブックサイズ決定は、ＨＡＲＱ−ＡＣＫのオーバーヘッドを効率的に減らし得ない。
【図面の簡単な説明】
【０００９】
複数の実施形態が、添付の図面とともに以下の詳細な記載を読むことによって、容易に理解されるであろう。この記載を理解し易くするために、同じ参照番号は、同じ構造要素を示す。複数の実施形態は、添付図面の複数の図において、例として説明されているのであって、限定する形で説明されているのではない。
【００１０】
【図１】様々な実施形態による、無線通信ネットワークを概略的に図示したものである。
【図２】様々な実施形態による、ＨＡＲＱ−ＡＣＫタイミング情報を有するＴＤＤ通信構造の例を図示したものである。
【図３】様々な実施形態による、ユーザ機器によって実行され得るＨＡＲＱ−ＡＣＫコードブックサイズの決定方法を図示するフローチャートである。
【図４】幾つかの実施形態による、ＨＡＲＱ−ＡＣＫビット生成表である。
【図５】様々な実施形態による、システムの例を概略的に示したものである。
【発明を実施するための形態】
【００１１】
本開示の例示的実施形態は、限定はされないが、無線通信ネットワークにおけるＨＡＲＱ−ＡＣＫコードブックサイズを決定するための方法、システム、コンピュータ可読媒体および装置を含む。様々な実施形態は、異なるサービングセルで異なるＵＬ−ＤＬ構成を持ちながら、ＴＤＤ  ＣＣのインターバンドＣＡのＨＡＲＱ−ＡＣＫ性能を維持しつつ、ＨＡＲＱ−ＡＣＫのオーバーヘッドを減らすようにＰＵＳＣＨ上のＨＡＲＱ−ＡＣＫコードブックサイズを決定可能な３ＧＰＰ  ＬＴＥのリリース１１（以下、「リリース−１１」とする）（およびその後のリリース）に準拠して動作するユーザ機器（ＵＥ）を提供し得る。このように、記載されるＵＥは、オーバーヘッドをほとんど、または全く追加することなく、ＰＵＳＣＨへの悪影響を減らすであろうＰＵＳＣＨ  ＲＥをパンクチャリングすべく、所望のＨＡＲＱ−ＡＣＫコードブックサイズを適応的に決定し得る。
【００１２】
様々な実施形態が、特定の構成（例えば、ＴＤＤ  ＵＬ−ＤＬ構成および特別なサブフレーム構成）、フォーマット（例えば、ＤＣＩフォーマット）、モード、（例えば、送信モード）などを参照して記載され得る。これらの構成、フォーマット、モードなどは、現在公開されているＬＴＥ文書、例えば、リリース−１０および／またはリリース−１１の技術規格、と整合性をもって定義され得る。
【００１３】
例示的な実施形態の様々な態様が、他の当業者へ研究の大意を伝えるために当業者によって一般に使用される用語を用いて説明される。しかしながら、別の実施形態が、説明される態様のほんの一部を用いるだけでも実施され得ることは、当業者にとっては明らかであろう。説明の目的で特定の数、材料および構成が、例示的な実施形態の完全な理解を提供する目的で記載される。しかしながら、別の実施形態が、特定の詳細なしに実施され得ることは、当業者にとっては明らかであろう。他の例では、例示的な実施形態を不明瞭にしない目的で、公知の特徴は省略または簡素化されている。
【００１４】
さらに、様々なオペレーションが、例示的な実施形態の理解を最もよく助ける方法で、複数の別個のオペレーションとして、順に記載されるであろう。しかしながら、記載の順序は、これらのオペレーションが必ず順序に依存しなければならないと暗示しているととらえるべきではない。特に、これらのオペレーションは提示の順序で実行される必要はない。
【００１５】
「幾つかの実施形態において」という文言が繰り返し用いられる。この文言は一般的には、同じ実施形態を指しているのではないが、指していてもよい。「備える（ｃｏｍｐｒｉｓｉｎｇ）」、「有する（ｈａｖｉｎｇ）」および「含む（ｉｎｃｌｕｄｉｎｇ）」という用語は、前後関係がそうではないように記述されない限り、同義である。「Ａおよび／またはＢ」という文言は、（Ａ）、（Ｂ）、または（ＡおよびＢ）の意味である。「Ａ／Ｂ」という文言は、「Ａおよび／またはＢ」という文言と同様に、（Ａ）、（Ｂ）、または（ＡおよびＢ）の意味である。「Ａ、ＢおよびＣのうちの少なくとも一つ」という文言は、（Ａ）、（Ｂ）、（Ｃ）、（ＡおよびＢ）、（ＡおよびＣ）、（ＢおよびＣ）または（Ａ、ＢおよびＣ）を意味する。「（Ａ）Ｂ」という文言は、（Ｂ）または（ＡおよびＢ）、すなわちＡは任意であることを意味する。
【００１６】
特定の実施形態が本明細書にて図示され、説明されるが、多種多様な、代替の、および／または同等な実装が、本開示の実施形態の範囲を逸脱することなく、示され説明される特定の実施形態の代用となり得ることは、当業者にとっては明らかである。本出願は、本明細書にて議論される実施形態の何れの応用形態または変形形態も網羅することが意図されている。故に、本開示の実施形態は、特許請求およびそれと同等なものによってのみ限定されることが明確に意図される。
【００１７】
本明細書にて用いられるように、「モジュール」という用語は、特定用途向け集積回路（ＡＳＩＣ）、電子回路、プロセッサ（共有された、専用の、またはグループの）および／またはメモリ（共有された、専用の、またはグループの）、組み合わせ論理回路、またはその他の、記述される機能を提供する電子回路、を指すか、の一部であるか、または、を含み得る。様々な実施形態において、モジュールは、１または複数のコンピュータ可読媒体に格納される命令を実行し、説明される機能を提供する。
【００１８】
図１は、様々な実施形態による、無線通信ネットワーク１００を概略的に図示したものである。無線通信ネットワーク１００（以下、「ネットワーク１００」）は、Ｅ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）などの、３ＧＰＰ  ＬＴＥネットワークのアクセスネットワークであり得る。ネットワーク１００は、無線でユーザ機器（ＵＥ）１０８と通信すべく構成される基地局、例えば、エンハンスト基地局（ｅＮＢ）１０４、を含み得る。
【００１９】
図１に示すように、ＵＥ１０８は、トランシーバモジュール１１６に結合されたフィードバック制御器１１２を備え得る。トランシーバモジュール１１６はさらに、ネットワーク１００の他のコンポーネント、例えば、ｅＮＢ１０４、と無線で通信するために、ＵＥ１０８の複数のアンテナ１３２のうちの１または複数と結合され得る。
【００２０】
幾つかの実施形態において、ＵＥ１０８は、ｅＮＢ１０４とＵＥ１０８との間の通信のために、多数のコンポーネントキャリア（ＣＣ）が集められたキャリアアグリゲーション（ＣＡ）を利用可能である。トランシーバモジュール１１６は、複数のサービングセルを介し、それぞれの複数あるＣＣを利用して、ｅＮＢ１０４と通信すべく構成され得る。それぞれのＣＣは、異なる帯域に配設され得て、異なるＴＤＤ  ＵＬ−ＤＬ構成（以下、ＵＬ−ＤＬ構成とも呼ぶ）に関連付けられ得る。このように、幾つかの実施形態において、少なくとも２つのサービングセルが、異なるＵＬ−ＤＬ構成を有し得る。
【００２１】
以下の表３は、本発明の様々な実施形態において用いられ得るＵＬ−ＤＬ構成の例を示す。
【表３】
2015515786.tif 000015
【００２２】
表３において、Ｄは下りリンク送信のサブフレーム、Ｕは上りリンク送信のサブフレーム、およびＳは、例えばガード時間に用いられる特別なサブフレームである。幾つかの実施形態において、特別なサブフレームは、ＤＣＩを含み得る下りリンクパイロット時間スロット（ＤｗＰＴＳ）、ガード期間（ＧＰ）、および上りリンクパイロット時間スロット（ＵｐＰＴＳ）の３つのフィールドを含み得る。
【００２３】
最初の接続確立では、ＵＥ１０８は、ＣＣ０とも呼ばれ得るプライマリＣＣを用いて、ｅＮＢ１０４のプライマリサービングセル（ＰＣｅｌｌ）と接続し得る。この接続は、セキュリティ、移動性、構成などの様々な機能のために用いられ得る。その後、ＵＥ１０８は、１または複数のセカンダリＣＣを用いて、ｅＮＢ１０４の１または複数のセカンダリサービングセル（ＳＣｅｌｌ）と接続し得る。これらの接続は、追加的な無線リソースを提供するために用いられ得る。
【００２４】
図２は、ある実施形態による、ＨＡＲＱ−ＡＣＫタイミング情報を有するＴＤＤ通信構造２００の例を図示したものである。ＴＤＤ通信構造２００において、ｅＮＢ１０４およびＵＥ１０８間の通信を実現すべく、３つのサービングセルが構成され得る。例えば、ＵＬ−ＤＬ構成０を有するＰＣｅｌｌ、ＵＬ−ＤＬ構成２を有するＳＣｅｌｌ１、ＵＬ−ＤＬ構成１を有するＳＣｅｌｌ２である。他の実施形態においては、ｅＮＢ１０４およびＵＥ１０８間の通信を実現すべく、違う数のサービングセルが構成され得る。
【００２５】
ＴＤＤ通信構造２００において、ＰＣｅｌｌはバンドリングウィンドウＭ０を有し得る。Ｍ０は、下りリンク送信、例えば、ＰＤＳＣＨ送信または下りリンクのセミパーシステントスケジューリング（ＳＰＳ）リリースを示すＰＤＣＣＨ送信を含み得る１つのサブフレームを含む。下りリンク送信のために、対応するＨＡＲＱ−ＡＣＫ情報は、関連付けられる上りリンクサブフレーム、例えば、ＳＣｅｌｌ１のサブフレーム７においてＰＵＳＣＨ送信として送信される。ＳＣｅｌｌ１は、バンドリングウィンドウＭ１を有し得る。Ｍ１は、下りリンク送信を含み得る４つのサブフレームを含む。下りリンク送信のために、対応するＨＡＲＱ−ＡＣＫ情報は、関連付けられる上りリンクサブフレーム、例えば、ＳＣｅｌｌ１のサブフレーム７においてＰＵＳＣＨ送信として送信される。ＳＣｅｌｌ２は、バンドリングウィンドウＭ２を有し得る。Ｍ２は、下りリンク送信を含み得る２つのサブフレームを有し得る。下りリンク送信のために、対応するＨＡＲＱ−ＡＣＫ情報は、関連付けられる上りリンクサブフレーム、例えば、ＳＣｅｌｌ１のサブフレーム７においてＰＵＳＣＨ送信として送信される。それぞれのバンドリングウィンドウのＤＬサブフレームと、対応するＨＡＲＱ−ＡＣＫ情報の送信に用いられることになるＵＬサブフレームとの間の関連は、予め決められたＨＡＲＱタイミング参照に基づき得る。このようなＨＡＲＱタイミング参照の例は、表４に関して、以下で示され、議論される。
【００２６】
図２に示す例において、対応するＨＡＲＱ−ＡＣＫ情報が送信される下りリンク送信を伝送可能なサブフレームの全ては、ＰＤＳＣＨ送信を有するとして示される。しかしながら、他の実施形態においては、ｅＮＢは、これらのサブフレームの１または複数のフレーム上に下りリンク送信をスケジューリングし得ない。
【００２７】
図３は、幾つかの実施形態による、ＨＡＲＱ−ＡＣＫコードブックサイズの決定方法３００を図示する。方法３００は、ＵＥのフィードバック制御器、例えば、ＵＥ１０８のフィードバック制御器１１２によって実行され得る。幾つかの実施形態において、ＵＥは、１または複数のコンピュータ可読媒体を有し得て、および／または、にアクセスし得て、１または複数のコンピュータ可読媒体は複数の命令を格納し、これらの命令が実行されると、ＵＥまたはフィードバック制御器に方法３００を実行させる。
【００２８】
３０４において、フィードバック制御器は、各構成されたサービングセルに対して、ＨＡＲＱ−ＡＣＫタイミングおよびＨＡＲＱ−ＡＣＫバンドリングウィンドウを決定し得る。幾つかの実施形態では、フィードバック制御器は、各構成されたサービングセルに対して、上りリンクサブフレームに関連付けられるバンドリングウィンドウ内のサブフレームの総数を決定し得る。一般的には、ＨＡＲＱ−ＡＣＫのバンドリングウィンドウは、下りリンクサブフレームおよび特別なサブフレームの両方を含むが、それは、下りリンクサブフレームおよび特別なサブフレームの両方ともが、ＰＤＳＣＨ送信を伝送可能であるからである。しかしながら、幾つかの実施形態においては、ある特別なサブフレームは、ＨＡＲＱ−ＡＣＫコードブックサイズを減らす目的で、バンドリングウィンドウから除外され得る。例えば、通常の下りリンクサイクリックプレフィックス（ＣＰ）を有する構成０および５、または拡張された下りリンクＣＰを有する構成０および４の特別なサブフレームは、これらが一般的にＰＤＳＣＨ送信を伝送しないために、バンドリングウィンドウから除外され得る。特別なサブフレーム構成は、３ＧＰＰ技術仕様（ＴＳ）３６．２１１Ｖ１０．５．０（２０１２−０６）のテーブル４．２−１と整合性をもって定義され得る。
【００２９】
幾つかの実施形態において、ＨＡＲＱ−ＡＣＫタイミングおよびＨＡＲＱ−ＡＣＫバンドリングウィンドウ、Ｍｃ、は、表４のＨＡＲＱタイミング参照に対するＵＬ−ＤＬ構成において示されるように、ＴＤＤに対する予め決定された下りリンクアソシエーションセットインデックスＫ：{ｋ０，ｋ１，…ｋＭ−１}に従い決定され得る。
【表４】
2015515786.tif 000016
【００３０】
様々な実施形態において、各サービングセルは、サービングセルのＵＬ−ＤＬ構成と同じ、または異なるＨＡＲＱタイミング参照を有し得る。サービングセルのＵＬ−ＤＬ構成は、サービングセルのシステム情報ブロック（ＳＩＢ）１で通信され、故に、サービングセルのＳＩＢ１構成とも称され得る。ＰＣｅｌｌのＨＡＲＱタイミング参照は、ＰＣｅｌｌのＳＩＢ１構成と同一であり得て、一方ＳＣｅｌｌのＨＡＲＱタイミング参照は、表５に従い、ＳＣｅｌｌのＳＩＢ１構成およびＰＣｅｌｌのＳＩＢ１構成の両方を考慮することにより選択され得る。
【表５】
2015515786.tif 000017
【００３１】
表５に従い、および図２を参照すると、ＰＣｅｌｌは、自身のＨＡＲＱタイミング参照にＵＬ−ＤＬ構成０を用い、ＳＣｅｌｌ１は、自身のＨＡＲＱタイミング参照にＵＬ−ＤＬ構成２を用い、ＳＣｅｌｌ２は、自身のＨＡＲＱタイミング参照にＵＬ−ＤＬ構成１を用いるであろう。この実施形態は、両ＳＣｅｌｌを、ＨＡＲＱタイミング参照にＳＩＢ１構成を用いて説明するが、他の実施形態においては、ＳＣｅｌｌは、ＨＡＲＱタイミング参照に他のＵＬ−ＤＬ構成を用い得る。例えば、ＳＣｅｌｌ１がＳＩＢ１構成３を有し、ＰＣｅｌｌがＳＩＢ１構成１を有する場合は、ＳＣｅｌｌはＨＡＲＱタイミング参照にＵＬ−ＤＬ構成４を用いることになる。
【００３２】
さらに表４および表５の使用の説明をすべく、以下を考える。ＳＣｅｌｌ１のサブフレーム７（例えば、ｎ＝７）がＨＡＲＱ−ＡＣＫ情報の送信のための上りリンクサブフレームに割り当てられる場合、関連付けられる下りリンクサブフレームは、ｎ−ｋによって決定され得る。ここで、ｋ∈Ｋである。バンドリングウィンドウのサイズＭｃは、要素の集合Ｋの濃度（ｃａｒｄｉｎａｌｉｔｙ）であり、バンドリングウィンドウの特定のサブフレームは、ｎ−ｋ０，…ｎ−ｋＭ−１で決定される。したがって、ＰＣｅｌｌのバンドリングウィンドウのサイズＭ０は、１（ただ１つの要素がＵＬ−ＤＬ構成０に関連付けられることから、表４においてサブフレームｎ＝７である）であり、Ｍ０の下りリンクサブフレームは、７−６＝１、例えば、ＤＬサブフレーム１、である。ＳＣｅｌｌ１のバンドリングウィンドウのサイズＭ１は、（表４の４つの要素を与えらるため）４であり、Ｍ１のＤＬサブフレームは、サブフレーム３（７−４）、サブフレーム１（７−６）、サブフレーム０（７−７）および１つ前のサブフレーム９（７−８）である。ＳＣｅｌｌ２のバンドリングウィンドウのサイズＭ２は、（表４の２つの要素を与えられるため）２であり、Ｍ２のＤＬサブフレームは、サブフレーム０（７−７）およびサブフレーム１（７−６）である。
【００３３】
３０８において、フィードバック制御器はＤＡＩを決定し得る。ＤＡＩは、上りリンクサブフレーム、ｎ、と予め決められた関連性を有するサブフレームで通信され得て、サブフレームｎは、例えば、ＳＣｅｌｌ１のサブフレーム７のように、バンドリングウィンドウに対するＨＡＲＱ−ＡＣＫ情報を伝送する。幾つかの実施形態において、ＤＡＩはサブフレームｎ−ｋ´で通信され得る。ここで、ｋ´は表２において定義される。幾つかの実施形態において、ＤＡＩは表１に従った、
【数１１】
2015515786.tif 000018
の決定に用いられ得る。
【数１２】
2015515786.tif 000019
は、複数のサービングセルのバンドリングウィンドウ内のスケジュールされた下りリンクサブフレーム数の最大値に対応し得る。図２を参照すると、４つの下りリンクサブフレームがＳＣｅｌｌ１においてスケジューリングされるので、
【数１３】
2015515786.tif 000020
である。
【００３４】
３１２において、フィードバック制御器は、構成されたサービングセルに対応するＨＡＲＱ−ＡＣＫビット数を、上りリンクサブフレームのＰＵＳＣＨ上で決定し得る。幾つかの実施形態において、フィードバック制御器は、各サービングセルに対して、上りリンクリソース割り当てに対するＤＡＩに基づく
【数１４】
2015515786.tif 000021
に基づきＨＡＲＱ−ＡＣＫビット数を、および、ＨＡＲＱタイミング参照構成に従い、対応するサービングセルのバンドリングウィンドウのサブフレーム数を決定し得る。
【００３５】
幾つかの実施形態において、ｃ番目のサービングセルに対するＨＡＲＱ−ＡＣＫビット数、Ｏｃ、は、以下の式で決定され得る。
【数１５】
2015515786.tif 000022
ここでＵは、全ての構成されたサービングセル間のＵｃの最大値、Ｕｃは、ｃ番目のサービングセルのバンドリングウィンドウ（例えば、サブフレームｎ−ｋ、ここで、表４に関して説明されるようにｋ∈Ｋ）内の受信された送信（例えば、ＰＤＳＣＨおよび下りリンクのＳＰＳリリースを示すＰＤＣＣＨ）を有するサブフレーム総数、
【数１６】
2015515786.tif 000023
は、フォーマット０またはフォーマット４を有し得るＤＣＩに含まれるＤＡＩにより決定され、ＤＡＩは、表１に従い、サブフレームｎ−ｋ´におけるＰＵＳＣＨ（例えば、ＳＣｅｌｌ１）上のＵＣＩのピギーバックが行われるサービングセルの上りリンク送信リソースを割り当てる。ここで、ｋ´は表２において定義される。そして、ｃ番目のサービングセルにおいて構成される送信モードが１つのトランスポートブロックをサポートする場合、
【数１７】
2015515786.tif 000024
であり、その他の場合は、
【数１８】
2015515786.tif 000025
である。また、Ｘ≦Ｙである場合、
【数１９】
2015515786.tif 000026
であり、その他の場合は、
【数２０】
2015515786.tif 000027
である。
【００３６】
複数の集合したサービングセルのどれ１つとして、ＨＡＲＱタイミング参照構成として構成５を含まない実施形態において、
【数２１】
2015515786.tif 000028
は少なくともＵと同じ大きさであるので、それにより、式１の
【数２２】
2015515786.tif 000029
項は消える。このようにして、式１は減じられ、以下のようになる。
【数２３】
2015515786.tif 000030
【００３７】
このようにして、幾つかの実施形態において、集合したサービングセルのＨＡＲＱタイミング参照構成のうち、どれ１つとして構成５でない場合、関連付けられるＵＬグラントによって、
【数２４】
2015515786.tif 000031
で調整されたＰＵＳＣＨ上の、ＵＬサブフレームｎにおけるＨＡＲＱ−ＡＣＫ送信に式２が用いられ、集合したサービングセルのうち何れかのＨＡＲＱタイミング参照構成が構成５である場合、関連付けられるＵＬグラントによって、
【数２５】
2015515786.tif 000032
で調整されたＰＵＳＣＨ上の、ＵＬサブフレームｎにおけるＨＡＲＱ−ＡＣＫ送信に式１が用いられる。
【００３８】
いくつかの実施形態において、式１も式２も、ＰＵＳＣＨのスケジューリングを実行するサービングセル（例えば、図２のＳＣｅｌｌ１）がＳＩＢ１構成０を有する状況においては用いられ得ないことに注意されたい。これらの実施形態では、ｅＮＢはＤＣＩフォーマット０および／またはフォーマット４のＤＡＩの送信が不可能なので、ＵＥはＷを決定できない。
【００３９】
ｃ番目のサービングセルに対するＨＡＲＱ−ＡＣＫのフィードバックビット
【数２６】
2015515786.tif 000033
はｃ≧０において、次のように構築される。サブフレームｎ−ｋにおける、ＰＤＤＣＨのＤＣＩメッセージに関連付けられるＰＤＳＣＨ送信、または下りリンクのＳＰＳリリースを示すＰＤＣＣＨ送信に対するＨＡＲＱ−ＡＣＫは、ｃ番目のサービングセルにおいて構成される送信モードが１つのトランスポートブロックをサポートする場合、
【数２７】
2015515786.tif 000034
に関連付けられ、または、その他の場合は、
【数２８】
2015515786.tif 000035
および
【数２９】
2015515786.tif 000036
に関連付けられる。ここで、ＤＡＩ（ｋ）は下りリンクサブフレームのリソース割り当てのための、ｃ番目のサービングセルのバンドリングウィンドウに依存するサブフレームｎ−ｋにおいて検出されたＤＣＩフォーマット１Ａ，１Ｂ，１Ｄ，１，２，２Ａ，２Ｂ，および／または２ＣのＤＡＩの値である。何れの検出されたＰＤＳＣＨ送信も有さない、または下りリンクのＳＰＳリリースを示す検出されたＰＤＣＣＨを有さないＨＡＲＱ−ＡＣＫフィードバックビットはＮＡＣＫに設定され得る。
【００４０】
図２を参照し、２つのトランスポートブロックがイネーブルの送信モード４が構成されると仮定すると、１つの例が以下に提供される。各ＣＣの特別なサブフレーム構成は、通常の下りリンクサイクリックプレフィックス（ＣＰ）を有する構成３である。上述したように、ｅＮＢは、この例においては、指定されたバンドリングウィンドウ内の各機会、例えば、ＰＣｅｌｌのサブフレーム１、ＳＣｅｌｌ１のサブフレーム９、サブフレーム０、サブフレーム１およびサブフレーム３、およびＳＣｅｌｌ２のサブフレーム０およびサブフレーム１、において送信され得る。さらに、ＵＥはＳＣｅｌｌ１のサブフレーム３において、ＳＣｅｌｌ１のサブフレーム７におけるＰＵＳＣＨ送信に対する上りリンクグラントを受信し得る。バンドリングウィンドウ内におけるＰＤＳＣＨのスケジュールされたサブフレームの総数の最大値は、現仮定に従えば、４であるので、サブフレーム７の上りリンクグラントの
【数３０】
2015515786.tif 000037
は、ｅＮＢによって４として設定されるであろう。式１に従って、ＰＣｅｌｌに対するＨＡＲＱ−ＡＣＫビットのＯ０値は、以下のように計算され得る。
【数３１】
2015515786.tif 000038
【００４１】
同様に、ＳＣｅｌｌ１およびＳＣｅｌｌ２に対するＨＡＲＱ−ＡＣＫビットは、それぞれ、Ｏ１＝８およびＯ２＝４と決定され得る。これは、幾つかの実施形態に従い、図４のＨＡＲＱ−ＡＣＫビット生成表４００において図示されている。ＨＡＲＱ−ＡＣＫビットが、リリース１０の方法論に従い決定される場合、結果は、Ｏ０＝８、Ｏ１＝８およびＯ２＝８である。
【００４２】
３１６において、フィードバック制御器は上りリンクサブフレームのＰＵＳＣＨ上のＨＡＲＱ−ＡＣＫコードブックサイズを決定し得る。ＨＡＲＱ−ＡＣＫコードブックサイズの決定は、以下の式に従い、複数のサービングセルの各々に対応するＨＡＲＱ−ＡＣＫビット数を合計することにより成され得る。
【数３２】
2015515786.tif 000039
【００４３】
これまで議論した例では、Ｏ＝１４である。リリース１０の方法論では、Ｏ＝２４である。このように、説明される実施形態は、ＨＡＲＱ−ＡＣＫのオーバーヘッドを４２％減少させる結果となる。このようにして、ＰＵＳＣＨ性能およびシステムのスループットは、ＨＡＲＱ−ＡＣＫ性能に影響を与えることなく改善され得る。
【００４４】
本明細書で説明されるＵＥ１０８は、任意の適切なハードウェアおよび／またはソフトウェアを用いて、所望の形に構成すべくシステムへ実装され得る。図５は、一実施形態について、１または複数のプロセッサ５０４、プロセッサ５０４のうちの少なくとも１つに結合されたシステム制御ロジック５０８、システム制御ロジック５０８に結合されたシステムメモリ５１２、システム制御ロジック５０８に結合された不揮発性メモリ（ＮＶＭ）／記憶装置５１６、システム制御ロジック５０８に結合されたネットワークインタフェース５２０、およびシステム制御ロジック５０８に結合された入出力（Ｉ／Ｏ）デバイス５３２を備えるシステム５００を例示する。
【００４５】
プロセッサ５０４は、１または複数のシングルコアプロセッサまたはマルチコアプロセッサを含み得る。プロセッサ５０４は、汎用プロセッサおよび専用プロセッサ（例えば、グラフィックスプロセッサ、アプリケーションプロセッサ、ベースバンドプロセッサ、など）の任意の組み合わせを含み得る。
【００４６】
一実施形態のシステム制御ロジック５０８は、任意の適切なインタフェースコントローラを含み得て、プロセッサ５０４のうちの少なくとも１つ、および／またはシステム制御ロジック５０８と通信する任意の適切なデバイスまたはコンポーネントに、任意の適切なインタフェースを提供し得る。
【００４７】
一実施形態のシステム制御ロジック５０８は、１または複数のメモリコントローラを含み得て、システムメモリ５１２にインタフェースを提供する。システムメモリ５１２は、システム５００に対するデータおよび／または命令のロードおよび格納に用いられ得る。幾つかの実施形態において、システムメモリ５１２は、ＨＡＲＱロジック５２４を含み得て、ＨＡＲＱロジック５２４は実行されると、フィードバック制御器に本明細書で説明される様々なオペレーションを実行させる。一実施形態のシステムメモリ５１２は、例えば、適切なダイナミックランダムアクセスメモリ（ＤＲＡＭ）などの、任意の適切な揮発性メモリを含み得る。
【００４８】
ＮＶＭ／記憶装置５１６は、データおよび／または命令、例えばＨＡＲＱロジック５２４、の格納に用いられる１または複数の有体の、非一時的なコンピュータ可読媒体を含み得る。ＮＶＭ／記憶装置５１６は、例えばフラッシュメモリなどの任意の適切な不揮発性メモリを含み得て、および／または、例えば、１または複数のハードディスクドライブ（ＨＤＤ）、１または複数のコンパクトディスク（ＣＤ）ドライブ、および／または１または複数のデジタルバーサタイルディスク（ＤＶＤ）ドライブなどの、任意の適切な不揮発性記憶装置を含み得る。
【００４９】
ＮＶＭ／記憶装置５１６は、システム５００が装備されているデバイスの物理的に一部分である記憶リソースを含み得るか、また記憶リソースはデバイスによってアクセス可能であり、しかし必ずしもデバイスの一部である必要はないといえる。例えば、ＮＶＭ／記憶装置５１６は、ネットワークインタフェース５２０を介したネットワークを通して、および／または入出力（Ｉ／Ｏ）デバイス５３２を通してアクセスされ得る。
【００５０】
ネットワークインタフェース５２０は、トランシーバモジュール１１６と類似するトランシーバモジュール５２２を有し得て、１または複数のネットワークを通して、および／または任意の他の適切なデバイスと通信できるようにすべくシステム５００用の無線インタフェースを提供する。様々な実施形態において、トランシーバモジュール５２２はシステム５００の他のコンポーネントと集積され得る。例えば、トランシーバモジュール５２２は、プロセッサ５０４のうちの１つのプロセッサ、システムメモリ５１２のメモリ、およびＮＶＭ／記憶装置５１６のＮＶＭ／記憶装置を含み得る。ネットワークインタフェース５２０は、任意の適切なハードウェアおよび／またはファームウェアを含み得る。ネットワークインタフェース５２０は、複数のアンテナを含み得て、多入力多出力無線インタフェースを提供する。一実施形態のネットワークインタフェース５２０は、例えば、有線ネットワークアダプタ、無線ネットワークアダプタ、電話モデム、および／または無線モデムを含み得る。
【００５１】
一実施形態において、プロセッサ５０４のうちの少なくとも１つは、システム制御ロジック５０８の１または複数のコントローラに対するロジックと共にパッケージ化され得る。一実施形態において、プロセッサ５０４のうちの少なくとも１つは、システム制御ロジック５０８の１または複数のコントローラに対するロジックと共にパッケージ化され得て、システムインパッケージ（ＳｉＰ）を形成する。一実施形態において、プロセッサ５０４のうちの少なくとも１つは、システム制御ロジック５０８の１または複数のコントローラに対するロジックと同一ダイ上に集積され得る。一実施形態において、プロセッサ５０４のうちの少なくとも１つは、システム制御ロジック５０８の１または複数のコントローラに対するロジックと同一ダイ上に集積され得て、システムオンチップ（ＳｏＣ）を形成する。
【００５２】
様々な実施形態において、Ｉ／Ｏデバイス５３２は、システム５００とのユーザーインタラクションを可能にすべくデザインされたユーザインタフェース、システム５００との周辺コンポーネントのインタラクションを可能にすべくデザインされた周辺コンポーネントインタフェース、および／または環境条件および／またはシステム５００に関する位置情報を決定すべくデザインされたセンサを含み得る。
【００５３】
様々な実施形態において、ユーザインタフェースは、限定はされないが、ディスプレイ（例えば、液晶ディスプレイ、タッチスクリーンディスプレイ、など）、スピーカ、マイクロフォン、１または複数のカメラ（例えば、スチルカメラおよび／またはビデオカメラ）、フラッシュライト（例えば、発行ダイオードフラッシュ）、およびキーボードを含み得る。
【００５４】
様々な実施形態において、周辺コンポーネントインタフェースは、限定はされないが、不揮発性メモリポート、ユニバーサルシリアルバス（ＵＳＢ）ポート、オーディオジャック、および電源インタフェースを含み得る。
【００５５】
様々な実施形態において、センサは、限定はされないが、ジャイロセンサ、加速度計、近接センサ、周囲光センサ、および測位ユニットを有し得る。測位ユニットは、ネットワークインタフェース５２０の一部であってよく、またはネットワークインタフェース５２０とインタラクトし得て、測位ネットワークのコンポーネント、例えば、全地球測位システム（ＧＰＳ）衛星と通信する。
【００５６】
様々な実施形態において、システム５００はｅＮＢまたは、限定はされないが、ラップトップコンピューティングデバイス、タブレットコンピューティングデバイス、ネットブック、スマートフォン、などのモバイルコンピューティングデバイスであり得る。様々な実施形態において、システム５００はいくらかのコンポーネント、および／または異なるアーキテクチャを有し得る。
【００５７】
様々な実施形態は、装置、例えば、ＵＥについて説明する。ＵＥは、複数のサービングセルを介して通信すべく構成されるトランシーバモジュールを備える。ここで複数のサービングセルのうち少なくとも２つは異なるＴＤＤ  ＵＬ−ＤＬ構成を有する。さらにＵＥは、フィードバック制御器を備え、フィードバック制御器は、トランシーバモジュールに結合され、ＤＡＩを取得し、複数のサービングセルのうちの第１のサービングセルのバンドリングウィンドウ内の下りリンクサブフレーム数を決定すべく構成される。ここでバンドリングウィンドウの下りリンクサブフレームは、対応するＨＡＲＱ−ＡＣＫ情報の送信のための上りリンクサブフレームに関連付けられている。さらに、フィードバック制御器は、第１のサービングセルに対応し、ＤＡＩおよび下りリンクサブフレームの決定された数に基づく、上りリンクサブフレームのＰＵＳＣＨ上で利用可能なＨＡＲＱ−ＡＣＫビット数を決定すべく構成される。
【００５８】
ＤＡＩは、複数のサービングセルのバンドリングウィンドウ内のスケジュールされた下りリンクサブフレーム数の最大値に対応し得て、複数のサービングセルのバンドリングウィンドウ内の下りリンクサブフレームは、上りリンクサブフレームに関連付けられ、フィードバック制御器は、この最大値に基づき、ＨＡＲＱ−ＡＣＫビットを決定し得る。
【００５９】
いくつかの実施形態において、ＤＡＩは、上りリンクサブフレームを有するサービングセルの、上りリンク送信リソースを割り当てるＤＣＩに含まれ得る。ＤＣＩは、ＤＣＩフォーマット０またはＤＣＩフォーマット４のフォーマットを有し得る。バンドリングウィンドウ内のサブフレームのうちの少なくとも１つは、ＰＤＣＣＨのＤＣＩメッセージに関連付けられるＰＤＳＣＨ送信、または、ＨＡＲＱ−ＡＣＫ情報が対応するＵＥへの下りリンクのＳＰＳリリースを示すＰＤＣＣＨ送信、を含み得る。または、上りリンクサブフレームに関連付けられるバンドリングウィンドウ内の下りリンクサブフレーム数には、通常の下りリンクＣＰを有する構成０および構成５の特別なサブフレーム、または拡張された下りリンクＣＰを有する構成０および構成４の特別なサブフレームを含まない。
【００６０】
フィードバック制御器はさらに、複数のサービングセルの各々に対応し、上りリンクサブフレームのＰＵＳＣＨ上で利用可能なＨＡＲＱ−ＡＣＫビットの数を決定し、複数のサービングセルの各々に対応するＨＡＲＱ−ＡＣＫビットの決定された数に基づき、上りリンクサブフレームのＰＵＳＣＨ上のＨＡＲＱ−ＡＣＫコードブックサイズを決定すべく構成され得て、また任意で、複数のサービングセルの各々に対応するＨＡＲＱ−ＡＣＫビットの決定された数を合計することによりＨＡＲＱ−ＡＣＫコードブックサイズを決定すべく構成されてもよい。
【００６１】
幾つかの実施形態において、フィードバック制御器さらに、ＤＡＩに対応する値を決定し、下りリンクサブフレームの決定された値または決定された数のどちらか、より小さい方を第１のサービングセルのＨＡＲＱ−ＡＣＫビット数として選択し、第１のサービングセルのＨＡＲＱ−ＡＣＫビット数に基づき、上りリンクサブフレームのＰＵＳＣＨ上のＨＡＲＱ−ＡＣＫコードブックサイズを決定すべく構成され得て、また任意で、第１のサービングセルの送信モードに対して、サブフレーム毎にサポートされるトランスポートブロック数を決定すべく構成されてもよいし、サブフレーム毎にサポートされるトランスポートブロックの決定された数に基づき、第１のサービングセルのＨＡＲＱ−ＡＣＫビット数を決定すべく構成されてもよい。
【００６２】
フィードバック制御器はさらに、複数のサービングセルの各サービングセルに対応するＨＡＲＱ−ＡＣＫビットの数を決定し、複数のサービングセルの各サービングセルに対応するＨＡＲＱ−ＡＣＫビットの決定された数に基づき、ＨＡＲＱ−ＡＣＫコードブックサイズを決定すべく構成され得る。フィードバック制御器はさらに、以下の式に基づき、複数のサービングセルの各サービングセルに対応するＨＡＲＱ−ＡＣＫビットの数を決定すべく構成され得る。
【数３３】
2015515786.tif 000040
ここで、ｃは、第１のサービングセルのサービングセルインデックス、Ｏｃはｃ番目のサービングセルに対応するＨＡＲＱ−ＡＣＫビットの数、
【数３４】
2015515786.tif 000041
はｃ番目のサービングセルのバンドリングウィンドウにおける下りリンクサブフレームの数であって、バンドリングウィンドウは、ｃ番目のサービングセルのＨＡＲＱタイミング参照構成に従い決定され、通常の下りリンクＣＰを有する構成０および構成５の特別なサブフレーム、および拡張された下りリンクＣＰを有する構成０および構成４の特別なサブフレームは除外する。
【数３５】
2015515786.tif 000042
は複数のサービングセルへの上りリンクリソース割り当てに対するＤＣＩフォーマットのＤＡＩに対応する決定された値であり、
【数３６】
2015515786.tif 000043
はｃ番目のサービングセルの送信モードに対する、サブフレーム毎にサポートされるトランスポートブロックの数である。
【００６３】
フィードバック制御器はさらに、ＰＤＳＣＨ送信、および、複数のサービングセルの各々のバンドリングウィンドウのサブフレームで受信される下りリンクのＳＰＳリリースを示すＰＤＣＣＨ送信の数を決定し、ＰＤＳＣＨ送信の決定された数、および、複数のサービングセルの各々のバンドリングウィンドウのサブフレームで受信される下りリンクのＳＰＳリリースを示すＰＤＣＣＨ送信の決定された数の最大値を決定し、決定された最大値に基づき、ＨＡＲＱ−ＡＣＫビット数を決定すべく構成され得る。フィードバック制御器はさらに、以下の式に基づき、各サービングセルに対応するＨＡＲＱ−ＡＣＫビットの数を決定すべく構成され得る。
【数３７】
2015515786.tif 000044
ここで、ｃは、サービングセルインデックス、Ｏｃはｃ番目のサービングセルに対応するＨＡＲＱ−ＡＣＫビットの数、
【数３８】
2015515786.tif 000045
はｃ番目のサービングセルのバンドリングウィンドウにおける下りリンクサブフレームの数であって、バンドリングウィンドウは、ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外する。
【数３９】
2015515786.tif 000046
はＤＡＩに対応する値、Ｕは、決定された最大値であり、
【数４０】
2015515786.tif 000047
はｃ番目のサービングセルの送信モードに対する、サブフレーム毎にサポートされるトランスポートブロックの数である。フィードバック制御器はさらに、以下の式に基づき、ＨＡＲＱ−ＡＣＫコードブックサイズを決定すべく構成され得る。
【数４１】
2015515786.tif 000048
ここで、
【数４２】
2015515786.tif 000049
はサービングセルの総数である。
【００６４】
いくつかの実施形態において、ＨＡＲＱ−ＡＣＫビット数は、第１のサービングセルのバンドリングウィンドウの下りリンクサブフレームに対応し、任意で、上りリンクサブフレームとバンドリングウィンドウの下りリンクサブフレームとの関連は、予め決められたＨＡＲＱ−ＡＣＫタイミング参照に基づいてもよい。
【００６５】
幾つかの実施形態は、複数の命令を有する１または複数のコンピュータ可読媒体について説明する。この複数の命令は、実行されると、フィードバック制御器に、下りリンク割り当てインデックス（ＤＡＩ）を取得させ、複数の構成されたサービングセルのうち少なくとも１つのサービングセルのＨＡＲＱタイミング参照構成が構成５である場合、
【数４３】
2015515786.tif 000050
に基づき、各サービングセルに対応するＨＡＲＱ−ＡＣＫビットの数を決定させ、複数の構成されたサービングセルのＨＡＲＱタイミング参照構成が、どれも構成５ではない場合、
【数４４】
2015515786.tif 000051
に基づき、複数のサービングセルの各サービングセルに対応するＨＡＲＱ−ＡＣＫビットの数を決定させる。ここでｃは、サービングセルインデックス、Ｏｃはｃ番目のサービングセルに対応するＨＡＲＱビットの数、
【数４５】
2015515786.tif 000052
はｃ番目のサービングセルのバンドリングウィンドウにおける下りリンクサブフレームの数であって、バンドリングウィンドウは、ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外する。
【数４６】
2015515786.tif 000053
は上りリンクリソース割り当てに対する下りリンク制御情報（ＤＣＩ）フォーマットのＤＡＩに対応する値、Ｕｃは、物理下りリンク共有チャネル（ＰＤＳＣＨ）送信、および、ｃ番目のサービングセルのバンドリングウィンドウのサブフレームで受信される下りリンクのセミパーシステントスケジューリング（ＳＰＳ）リリースを示す物理下りリンク制御チャネル（ＰＤＣＣＨ）送信の数、Ｕは、複数のＵｃの最大値であり、
【数４７】
2015515786.tif 000054
はｃ番目のサービングセルの送信モードに対する、サブフレーム毎にサポートされるトランスポートブロックの数である。
【００６６】
命令は実行されるとさらに、フィードバック制御器に、複数の構成されたサービングセルのＰＣｅｌｌに対するＵＬ−ＤＬ構成を決定させ、複数の構成されたサービングセルのＳＣｅｌｌに対するＵＬ−ＤＬ構成を決定させ、ＰＣｅｌｌのＵＬ−ＤＬ構成およびＳＣｅｌｌのＵＬ−ＤＬ構成に基づき、ＳＣｅｌｌに対するＨＡＲＱタイミング参照構成を決定させ得る。
【００６７】
幾つかの実施形態は、通信するために、複数のサービングセルのうち少なくとも２つのサービングセルが異なる時分割デュープレックス（ＴＤＤ）上りリンク下りリンク（ＵＬ−ＤＬ）構成を有する形で、複数のサービングセルを構成する段階と、複数のサービングセルの個々のサービングセルに対するバンドリングウィンドウのサイズを決定する段階と、複数のサービングセルのバンドリングウィンドウ内のスケジュールされた下りリンクサブフレームの最大数に対応する値を決定する段階と、バンドリングウィンドウのサイズおよび決定された値に基づき、複数のサービングセルのバンドリングウィンドウに関連付けられる第１の上りリンクサブフレーム上のＨＡＲＱ−ＡＣＫコードブックのサイズを決定する段階と、を含む方法を説明する。
【００６８】
この方法はさらに、下りリンク割り当てインデックスを取得する段階、下りリンク割り当てインデックスに基づき値を決定する段階、複数のサービングセルのうち少なくとも１つのサービングセルのＨＡＲＱタイミング参照構成が、構成５である場合に、
【数４８】
2015515786.tif 000055
に基づき、個々のサービングセルのバンドリングウィンドウに対するＨＡＲＱビットの数を決定する段階、および、複数のサービングセルのＨＡＲＱタイミング参照構成のどれ１つとして、構成５を取らない場合に、
【数４９】
2015515786.tif 000056
に基づき、個々のサービングセルのバンドリングウィンドウに対するＨＡＲＱビットの数を決定する段階、を含み得る。ここでｃは、サービングセルインデックス、Ｏｃはｃ番目のサービングセルに対応するＨＡＲＱビットの数、
【数５０】
2015515786.tif 000057
はｃ番目のサービングセルのバンドリングウィンドウにおける下りリンクサブフレームの数であって、バンドリングウィンドウは、ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外する。
【数５１】
2015515786.tif 000058
は複数のサービングセルに対する決定された値、Ｕｃは、ＰＤＳＣＨ送信、および、ｃ番目のサービングセルのバンドリングウィンドウのサブフレームで受信される下りリンクのＳＰＳリリースを示すＰＤＣＣＨ送信の数、Ｕは、複数のＵｃの最大値であり、
【数５２】
2015515786.tif 000059
はｃ番目のサービングセルの送信モードに対する、サブフレーム毎にサポートされるトランスポートブロックの数である。
【００６９】
幾つかの実施形態は、フィードバック制御器手段を有するＵＥを含む。このフィードバック制御器手段は、ＤＡＩを取得し、複数の構成されたサービングセルのうち少なくとも１つのサービングセルのＨＡＲＱタイミング参照構成が構成５である場合、
【数５３】
2015515786.tif 000060
に基づき、各サービングセルに対応するＨＡＲＱ−ＡＣＫビットの数を決定し、複数の構成されたサービングセルのＨＡＲＱタイミング参照構成が、どれも構成５ではない場合、
【数５４】
2015515786.tif 000061
に基づき、複数のサービングセルの各サービングセルに対応するＨＡＲＱビットの数を決定する手段である。ここでｃは、サービングセルインデックス、Ｏｃはｃ番目のサービングセルに対応するＨＡＲＱ−ＡＣＫビットの数、
【数５５】
2015515786.tif 000062
はｃ番目のサービングセルのバンドリングウィンドウにおける下りリンクサブフレームの数であって、バンドリングウィンドウは、ｃ番目のサービングセルのＨＡＲＱタイミング参照構成に従い決定され、通常の下りリンクＣＰを有する構成０および構成５の特別なサブフレーム、および拡張された下りリンクＣＰを有する構成０および構成４の特別なサブフレームは除外する。
【数５６】
2015515786.tif 000063
は上りリンクリソース割り当てに対するＤＣＩフォーマットのＤＡＩに対応する値、Ｕｃは、ＰＤＳＣＨ送信、および、ｃ番目のサービングセルのバンドリングウィンドウのサブフレームで受信される下りリンクのＳＰＳリリースを示すＰＤＣＣＨ送信の数、Ｕは、複数のＵｃの最大値であり、
【数５７】
2015515786.tif 000064
はｃ番目のサービングセルの送信モードに対する、サブフレーム毎にサポートされるトランスポートブロックの数である。
【００７０】
フィードバック制御器手段はさらに、複数のサービングセルのＰＣｅｌｌに対するＳＩＢ１構成を決定し、複数の構成されたサービングセルのＳＣｅｌｌに対するＳＩＢ１構成を決定し、および、ＰＣｅｌｌのＳＩＢ１構成およびＳＣｅｌｌのＳＩＢ１構成に基づき、ＳＣｅｌｌに対するＨＡＲＱタイミング参照構成を決定する手段であり得る。
【００７１】
フィードバック制御器手段はさらに、決定されたＨＡＲＱタイミングの参照構成に基づき、ＳＣｅｌｌのバンドリングウィンドウにおける下りリンクサブフレームの数を決定する手段であり得る。
【００７２】
フィードバック制御器手段はさらに、複数の構成されたサービングセルのＰＣｅｌｌに対するＵＬ−ＤＬ構成を決定し、複数の構成されたサービングセルのＳＣｅｌｌに対するＵＬ−ＤＬ構成を決定し、および、ＰＣｅｌｌのＵＬ−ＤＬ構成およびＳＣｅｌｌのＵＬ−ＤＬ構成に基づき、ＳＣｅｌｌに対するＨＡＲＱタイミング参照構成を決定する手段であり得る。
【００７３】
フィードバック制御器手段はさらに、ＨＡＲＱ−ＡＣＫビットの決定された数で物理上りリンク共有チャネル（ＰＵＳＣＨ）リソース要素をパンクチャリングする手段であり得る。
【００７４】
記載する目的で、特定の実施形態が本明細書で図示され、説明されてきたが、同じ目的を達成すべく意図された多種多様な別の、および／または同等な実施形態または実装が、本開示の範囲を逸脱することなく示され、説明される実施形態の代用になり得る。本出願は、本明細書にて議論される実施形態の何れの応用形態または変形形態も網羅することが意図されている。故に、本明細書に記載の実施形態は、特許請求およびそれと同等なものによってのみ限定されることが明確に意図される。
【図１】
2015515786.tif 000090
【図２】
2015515786.tif 000091
【図３】
2015515786.tif 000092
【図４】
2015515786.tif 000093
【図５】
2015515786.tif 000094
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
複数のサービングセルを介して通信するトランシーバモジュールおよび前記トランシーバモジュールに結合されたフィードバック制御器を備え、
前記複数のサービングセルのうちの少なくとも２つは異なる時分割デュープレックス（ＴＤＤ）上りリンク下りリンク（ＵＬ−ＤＬ）構成を有し、
前記フィードバック制御器は、下りリンク割り当てインデックス（ＤＡＩ）を取得し、前記複数のサービングセルのうちの第１のサービングセルのバンドリングウィンドウ内の複数の下りリンクサブフレームの数を決定し、
前記バンドリングウィンドウの前記複数の下りリンクサブフレームは、対応するハイブリッド自動再送要求送達確認情報（ＨＡＲＱ−ＡＣＫ情報）の送信のための上りリンクサブフレームに関連付けられ、
さらに前記フィードバック制御器は、前記第１のサービングセルに対応し、前記上りリンクサブフレームの物理上りリンク共有チャネル（ＰＵＳＣＨ）上で利用可能な複数のＨＡＲＱ−ＡＣＫビットの数を、前記ＤＡＩおよび前記複数の下りリンクサブフレームの決定された数に基づき決定する
装置。
【請求項２】
前記ＤＡＩは、前記複数のサービングセルの複数のバンドリングウィンドウ内のスケジュールされた複数の下りリンクサブフレームの数の最大値に対応し、前記複数のサービングセルの前記複数のバンドリングウィンドウ内の前記複数の下りリンクサブフレームは、前記上りリンクサブフレームに関連付けられ、
前記フィードバック制御器はさらに、前記最大値に基づき、前記複数のＨＡＲＱ−ＡＣＫビットを決定する
請求項１に記載の装置。
【請求項３】
前記ＤＡＩは、前記上りリンクサブフレームを有するサービングセルの上りリンク送信リソースを割り当てる下りリンク制御情報（ＤＣＩ）に含まれる
請求項１に記載の装置。
【請求項４】
前記ＤＣＩは、ＤＣＩフォーマット０またはＤＣＩフォーマット４のフォーマットを有する
請求項３に記載の装置。
【請求項５】
前記バンドリングウィンドウ内の複数の前記サブフレームのうちの少なくとも１つは、物理下りリンク制御チャネル（ＰＤＣＣＨ）の下りリンク制御情報（ＤＣＩ）メッセージに関連付けられる物理下りリンク共有チャネル（ＰＤＳＣＨ）送信、または、前記ＨＡＲＱ−ＡＣＫ情報が対応するユーザ機器（ＵＥ）に下りリンクのセミパーシステントスケジューリング（ＳＰＳ）リリースを示すＰＤＣＣＨ送信を含む
請求項１から４のいずれか一項に記載の装置。
【請求項６】
前記上りリンクサブフレームに関連付けられる前記バンドリングウィンドウ内の前記複数の下りリンクサブフレームの数は、通常の下りリンクサイクリックプレフィックス（ＣＰ）を有する構成０および構成５の特別なサブフレーム、または、拡張された下りリンクＣＰを有する構成０および構成４の特別なサブフレームを含まない
請求項１から４のいずれか一項に記載の装置。
【請求項７】
前記フィードバック制御器はさらに、
前記複数のサービングセルの各々に対応し、前記上りリンクサブフレームの前記ＰＵＳＣＨ上で利用可能な複数のＨＡＲＱ−ＡＣＫビットの数を決定し、および
前記複数のサービングセルの各々に対応する前記複数のＨＡＲＱ−ＡＣＫビットの決定された数に基づき、前記上りリンクサブフレームの前記ＰＵＳＣＨ上のＨＡＲＱ−ＡＣＫコードブックサイズを決定する
請求項１から４のいずれか一項に記載の装置。
【請求項８】
前記フィードバック制御器はさらに、前記複数のサービングセルの各々に対応する前記複数のＨＡＲＱ−ＡＣＫビットの決定された数を合計することにより、前記ＨＡＲＱ−ＡＣＫコードブックサイズを決定する
請求項７に記載の装置。
【請求項９】
前記フィードバック制御器はさらに、
前記ＤＡＩに対応する値を決定し、
前記決定された値または前記複数の下りリンクサブフレームの決定された数のどちらか、より小さい方を前記第１のサービングセルの前記複数のＨＡＲＱ−ＡＣＫビットの数として選択し、
前記第１のサービングセルに対する前記複数のＨＡＲＱ−ＡＣＫビットの数に基づき、前記上りリンクサブフレームの前記ＰＵＳＣＨ上のＨＡＲＱ−ＡＣＫコードブックサイズを決定する
請求項１から４のいずれか一項に記載の装置。
【請求項１０】
前記フィードバック制御器はさらに、
前記第１のサービングセルの送信モードに対する、サブフレーム毎にサポートされる複数のトランスポートブロックの数を決定し、
前記サブフレーム毎にサポートされる複数のトランスポートブロックの決定された数に基づき、前記第１のサービングセルに対する前記複数のＨＡＲＱ−ＡＣＫビットの数を決定する
請求項９に記載の装置。
【請求項１１】
前記フィードバック制御器はさらに、
前記複数のサービングセルの各サービングセルに対応するＨＡＲＱ−ＡＣＫビットの数を決定し、
前記複数のサービングセルの各サービングセルに対応する前記ＨＡＲＱ−ＡＣＫビットの決定された数に基づき、前記ＨＡＲＱ−ＡＣＫコードブックサイズを決定する
請求項９に記載の装置。
【請求項１２】
前記フィードバック制御器はさらに、
【数５８】
2015515786.tif 000095
に基づき、前記複数のサービングセルの各サービングセルに対応する前記複数のＨＡＲＱ−ＡＣＫビットの数を決定し、
ここでｃは、前記第１のサービングセルのインデックス、Ｏｃはｃ番目のサービングセルに対応する前記複数のＨＡＲＱ−ＡＣＫビットの数であり、
【数５９】
2015515786.tif 000096
は前記ｃ番目のサービングセルのバンドリングウィンドウの前記複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームを除外し、
【数６０】
2015515786.tif 000097
は前記複数のサービングセルへの上りリンクリソース割り当てに対するＤＣＩフォーマットの前記ＤＡＩに対応する前記決定された値であり、
【数６１】
2015515786.tif 000098
は前記ｃ番目のサービングセルの送信モードに対する、サブフレーム毎にサポートされる複数のトランスポートブロックの数である
請求項１１に記載の装置。
【請求項１３】
前記フィードバック制御器はさらに、
ＰＤＳＣＨ送信、および、前記複数のサービングセルの各々のバンドリングウィンドウの複数のサブフレームで受信される下りリンクのセミパーシステントスケジューリング（ＳＰＳ）リリースを示すＰＤＣＣＨ送信の数を決定し、
ＰＤＳＣＨ送信、および、前記複数のサービングセルの各々のバンドリングウィンドウの複数のサブフレームで受信される下りリンクのＳＰＳリリースを示すＰＤＣＣＨ送信の前記決定された数の最大値を決定し、
前記決定された最大値に基づき、前記複数のＨＡＲＱ−ＡＣＫビットの数を決定する
請求項９に記載の装置。
【請求項１４】
前記フィードバック制御器はさらに、
【数６２】
2015515786.tif 000099
に基づき、各サービングセルに対応する前記複数のＨＡＲＱ−ＡＣＫビットの数を決定し、
ここでｃは、サービングセルインデックス、Ｏｃはｃ番目のサービングセルに対応する前記複数のＨＡＲＱ−ＡＣＫビットの数、
【数６３】
2015515786.tif 000100
は前記ｃ番目のサービングセルのバンドリングウィンドウにおける前記複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外し、
【数６４】
2015515786.tif 000101
は前記ＤＡＩに対応する前記値、Ｕは前記決定された最大値であり、
【数６５】
2015515786.tif 000102
は前記ｃ番目のサービングセルの送信モードに対する、サブフレーム毎にサポートされるトランスポートブロックの数である
請求項１３に記載の装置。
【請求項１５】
前記フィードバック制御器はさらに、
【数６６】
2015515786.tif 000103
に基づき、ＨＡＲＱ−ＡＣＫコードブックサイズＯを決定し、
ここで
【数６７】
2015515786.tif 000104
は前記複数のサービングセルの総数である
請求項１４に記載の装置。
【請求項１６】
前記フィードバック制御器はさらに、
前記複数のサービングセルのうちの少なくとも１つのサービングセルのＨＡＲＱタイミング参照構成が、ＵＬ−ＤＬ構成５である場合、
【数６８】
2015515786.tif 000105
に基づいて各サービングセルに対応する前記複数のＨＡＲＱ−ＡＣＫビットの数を決定し、
前記複数のサービングセルのＨＡＲＱタイミング参照構成がどれもＵＬ−ＤＬ構成５でない場合、
【数６９】
2015515786.tif 000106
に基づき、前記複数のサービングセルの各サービングセルに対応する前記複数のＨＡＲＱ−ＡＣＫビットの数を決定し、
ここでｃはサービングセルインデックス、Ｏｃはｃ番目のサービングセルに対応する前記複数のＨＡＲＱ−ＡＣＫビットの数、
【数７０】
2015515786.tif 000107
は前記ｃ番目のサービングセルのバンドリングウィンドウ内の前記複数の下りリンクサブフレームの数、
【数７１】
2015515786.tif 000108
は上りリンクリソース割り当てに対するＤＣＩフォーマットの前記ＤＡＩに対応する前記値、Ｕは前記決定された最大値、および
【数７２】
2015515786.tif 000109
は前記ｃ番目のサービングセルの送信モードに対する、サブフレーム毎にサポートされるトランスポートブロックの数である
請求項１３に記載の装置。
【請求項１７】
前記上りリンクサブフレームは、前記複数のサービングセルの第２のサービングセル内にある
請求項１から４のいずれか一項に記載の装置。
【請求項１８】
前記複数のＨＡＲＱ−ＡＣＫビットの数は、前記第１のサービングセルの前記バンドリングウィンドウの前記複数の下りリンクサブフレームに対応する
請求項１から４のいずれか一項に記載の装置。
【請求項１９】
前記バンドリングウィンドウの前記複数の下りリンクサブフレームの、前記上りリンクサブフレームとの関連は、予め決められたＨＡＲＱ−ＡＣＫタイミング参照に基づく
請求項１８に記載の装置。
【請求項２０】
プログラムであって、ユーザ機器（ＵＥ）に、
通信するために、複数のサービングセルを構成させ、
前記複数のサービングセルの個々のサービングセルに対するバンドリングウィンドウのサイズを決定させ、
前記複数のサービングセルの前記バンドリングウィンドウ内のスケジュールされた複数の下りリンクサブフレームの最大数に対応する値を決定させ、
前記バンドリングウィンドウのサイズおよび前記決定された値に基づき、前記複数のサービングセルの前記バンドリングウィンドウに関連付けられる第１の上りリンクサブフレーム上のＨＡＲＱ−ＡＣＫコードブックのサイズを決定させ、
前記複数のサービングセルのうち少なくとも２つは、異なる時分割デュープレックス（ＴＤＤ）上りリンク下りリンク（ＵＬ−ＤＬ）構成を有する
プログラム。
【請求項２１】
プログラムであって、前記ＵＥにさらに、
下りリンク割り当てインデックスを取得させ、
前記下りリンク割り当てインデックスに基づき、前記値を決定させる
請求項２０に記載のプログラム。
【請求項２２】
プログラムであって、前記ＵＥにさらに、
前記複数のサービングセルのうちの少なくとも１つのサービングセルのＨＡＲＱタイミング参照構成が、構成５である場合、
【数７３】
2015515786.tif 000110
に基づき、前記個々のサービングセルのバンドリングウィンドウに対する複数のＨＡＲＱビットの数を決定させ、
前記複数のサービングセルのＨＡＲＱタイミング参照構成が、どれも構成５ではない場合、
【数７４】
2015515786.tif 000111
に基づき、前記個々のサービングセルのバンドリングウィンドウに対する前記複数のＨＡＲＱビットの数を決定させ、
ここでｃは、第１のサービングセルのインデックス、Ｏｃはｃ番目のサービングセルに対応する複数のＨＡＲＱビットの数、
【数７５】
2015515786.tif 000112
は前記ｃ番目のサービングセルのバンドリングウィンドウにおける複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外し、
【数７６】
2015515786.tif 000113
は前記複数のサービングセルに対する前記決定された値、Ｕｃは、物理下りリンク共有チャネル（ＰＤＳＣＨ）送信、および、前記ｃ番目のサービングセルのバンドリングウィンドウのサブフレームで受信される下りリンクのセミパーシステントスケジューリング（ＳＰＳ）リリースを示す物理下りリンク制御チャネル（ＰＤＣＣＨ）送信の数、Ｕは、前記Ｕｃの最大値であり、
【数７７】
2015515786.tif 000114
は前記ｃ番目のサービングセルの送信モードに対する、サブフレーム毎にサポートされるトランスポートブロックの数である
請求項２１に記載のプログラム。
【請求項２３】
プログラムであって、前記ＵＥにさらに、前記ＨＡＲＱ−ＡＣＫコードブックの前記決定されたサイズに基づき、ＨＡＲＱ−ＡＣＫシンボルで物理上りリンク共有チャネル（ＰＵＳＣＨ）のリソース要素をパンクチャリングさせる
請求項２０から２２のいずれか一項に記載のプログラム。
【請求項２４】
プログラムであって、フィードバック制御器に、
下りリンク割り当てインデックス（ＤＡＩ）を取得させ、
複数の構成されたサービングセルのうちの少なくとも１つのサービングセルのＨＡＲＱタイミング参照構成が、構成５である場合、
【数７８】
2015515786.tif 000115
に基づき、各サービングセルに対応する複数のＨＡＲＱ−ＡＣＫビットの数を決定させ、
前記複数の構成されたサービングセルの前記ＨＡＲＱタイミング参照構成が、どれも構成５ではない場合、
【数７９】
2015515786.tif 000116
に基づき、前記複数の構成されたサービングセルの各サービングセルに対応する前記複数のＨＡＲＱ−ＡＣＫビットの数を決定させ、
ここでｃは、サービングセルインデックス、Ｏｃはｃ番目のサービングセルに対応する複数のＨＡＲＱ−ＡＣＫビットの数、
【数８０】
2015515786.tif 000117
は前記ｃ番目のサービングセルのバンドリングウィンドウにおける複数の下りリンクサブフレームの数であって、前記バンドリングウィンドウは、前記ｃ番目のサービングセルのＨＡＲＱタイミング参照構成に従い決定され、通常の下りリンクサイクリックプレフィックス（ＣＰ）を有する構成０および構成５の特別なサブフレーム、および拡張された下りリンクＣＰを有する構成０および構成４の特別なサブフレームは除外し、
【数８１】
2015515786.tif 000118
は上りリンクリソース割り当てに対する下りリンク制御情報（ＤＣＩ）フォーマットの前記ＤＡＩに対応する値、Ｕｃは、物理下りリンク共有チャネル（ＰＤＳＣＨ）送信、および、前記ｃ番目のサービングセルのバンドリングウィンドウの複数のサブフレームで受信される下りリンクのセミパーシステントスケジューリング（ＳＰＳ）リリースを示す物理下りリンク制御チャネル（ＰＤＣＣＨ）送信の数、Ｕは、前記Ｕｃの最大値であり、
【数８２】
2015515786.tif 000119
は前記ｃ番目のサービングセルの送信モードに対する、サブフレーム毎にサポートされるトランスポートブロックの数である
プログラム。
【請求項２５】
プログラムであって、前記フィードバック制御器にさらに、
前記複数の構成されたサービングセルのプライマリサービングセル（ＰＣｅｌｌ）に対するシステム情報ブロック１（ＳＩＢ１）構成を決定させ、
前記複数の構成されたサービングセルの第２のセカンダリサービングセル（ＳＣｅｌｌ）に対するＳＩＢ１構成を決定させ、
前記ＰＣｅｌｌの前記ＳＩＢ１構成および前記ＳＣｅｌｌの前記ＳＩＢ１構成に基づき、前記ＳＣｅｌｌに対するＨＡＲＱタイミング参照構成を決定させる
請求項２４に記載のプログラム。
【請求項２６】
プログラムであって、前記フィードバック制御器にさらに、
前記決定されたＨＡＲＱタイミングの参照構成に基づき、前記ＳＣｅｌｌのバンドリングウィンドウの複数の下りリンクサブフレームの数を決定させる
請求項２５に記載のプログラム。
【請求項２７】
プログラムであって、前記フィードバック制御器にさらに、
前記複数の構成されたサービングセルのプライマリサービングセル（ＰＣｅｌｌ）に対するＵＬ−ＤＬ構成を決定させ、
前記複数の構成されたサービングセルの第２のセカンダリサービングセル（ＳＣｅｌｌ）に対するＵＬ−ＤＬ構成を決定させ、
前記ＰＣｅｌｌの前記ＵＬ−ＤＬ構成および前記ＳＣｅｌｌの前記ＵＬ−ＤＬ構成に基づき、前記ＳＣｅｌｌのＨＡＲＱタイミング参照構成を決定させる
請求項２４に記載のプログラム。
【請求項２８】
プログラムであって、前記フィードバック制御器にさらに、
前記複数のＨＡＲＱ−ＡＣＫビットの決定された数で、物理上りリンク共有チャネル（ＰＵＳＣＨ）のリソース要素をパンクチャリングさせる
請求項２４から２７のいずれか一項に記載のプログラム。
【請求項２９】
ユーザ機器（ＵＥ）に、
複数のサービングセルの個々のサービングセルの時分割デュープレックス（ＴＤＤ）上りリンク下りリンク（ＵＬ−ＤＬ）構成を特定させ、
前記個々のサービングセルのうちの少なくとも２つは異なるＴＤＤ  ＵＬ−ＤＬ構成を有し、
下りリンク割り当てインデックス（ＤＡＩ）を取得させ、
前記ＤＡＩに基づき値を決定させ、
前記複数のサービングセルの第１のサービングセルに対して、
上りリンクサブフレームに関連付けられるバンドリングウィンドウ内に含まれる、複数の下りリンクサブフレームまたは複数の特別なサブフレームの数を決定させ、
前記ＵＥが前記第１のサービングセルに対する複数のハイブリッド自動再送要求送達確認ビット（複数のＨＡＲＱ−ＡＣＫビット）をフィードバックする必要がある複数のサブフレームの数に対応する前記バンドリングウィンドウに含まれる、複数の下りリンクサブフレームまたは複数の特別なサブフレームの前記決定された数、または前記決定された値の小さい方を選択させる
プログラム。
【請求項３０】
前記ＵＥにさらに、前記第１のサービングセルに対して、
前記ＵＥが前記個々のサービングセルに対する複数のＨＡＲＱ−ＡＣＫビットをフィードバックする必要がある複数の下りリンクサブフレームの数に基づき、及び前記第１のサービングセルの送信モードにおいて下りリンクサブフレーム毎にサポートされる複数のトランスポートブロックの数に基づき、前記上りリンクサブフレームにおいて送信される複数のＨＡＲＱ−ＡＣＫビットの数を決定させる
請求項２９に記載のプログラム。
【請求項３１】
前記ＵＥにさらに、前記第１のサービングセルの前記上りリンクサブフレームにおいて送信される複数のＨＡＲＱ−ＡＣＫビットの前記決定された数に基づき、前記複数のサービングセルのコードブックに関連付けられる複数のＨＡＲＱ−ＡＣＫビットの総数を決定させる
請求項３０に記載のプログラム。
【請求項３２】
前記ＵＥにさらに、
前記複数のＨＡＲＱ−ＡＣＫビットの決定された総数で、前記上りリンクサブフレームの複数の物理的な上りリンク共有チャネル（ＰＵＳＣＨ）リソース要素をパンクチャリングさせる
請求項３１に記載のプログラム。
【請求項３３】
前記ＵＥは、前記複数のサービングセルのうちの全ての前記ＵＬ−ＤＬ構成が構成０、１、２、３、４または６のうちの１つであるとの決定に応じて、前記ＵＥが前記第１のサービングセルに対する複数のＨＡＲＱ−ＡＣＫビットをフィードバックする必要がある複数の下りリンクサブフレームの前記数に対応する複数の下りリンクサブフレームの前記決定された数、または前記決定された値の小さい方を選択する
請求項２９に記載のプログラム。
【請求項３４】
前記ＵＥにさらに、
前記複数のサービングセルのうちの少なくとも１つの前記ＵＬ−ＤＬ構成が構成５であるとの決定に応じて、
【数８３】
2015515786.tif 000120
に基づき、前記ＵＥが前記第１のサービングセルに対する複数のＨＡＲＱ−ＡＣＫビットをフィードバックする必要がある複数の下りリンクサブフレームの前記数を決定させ、
ここで、
【数８４】
2015515786.tif 000121
は、前記ＵＥがｃ番目のサービングセルに対する複数のＨＡＲＱ−ＡＣＫビットをフィードバックする必要がある複数の下りリンクサブフレームの前記数であり、
【数８５】
2015515786.tif 000122
はＤＡＩに対応する値であり、Ｕは前記複数のサービングセル間のＵｃの最大値であり、Ｕｃは、複数の受信した物理的な下りリンク共有チャネル（ＰＤＳＣＨ）、及びｃ番目のサービングセルに下りリンクのセミパーシステントスケジューリング（ＳＰＳ）リリースを示す複数の物理的な下りリンク制御チャネル（ＰＤＣＣＨ）の数であり、Ｍｃは前記上りリンクサブフレームに関連付けられる前記バンドリングウィンドウ内に含まれる、前記個々のサービングセルの複数の下りリンクサブフレームまたは複数の特別なサブフレームの前記数である
請求項３３に記載のプログラム。
【請求項３５】
前記ＤＡＩに基づき決定される前記値は、前記複数のサービングセルの複数のバンドリングウィンドウ内のスケジュールされた下りリンクサブフレームの数の最大値に対応する
請求項２９に記載のプログラム。
【請求項３６】
前記複数のサービングセルはプライマリサービングセル（ＰＣｅｌｌ）及びセカンダリサービングセル（ＳＣｅｌｌ）を含み、
前記ＵＥに、前記ＰＣｅｌｌの前記ＵＬ−ＤＬ構成及び前記ＳＣｅｌｌの前記ＵＬ−ＤＬ構成に基づき、前記ＳＣｅｌｌのＤＬ参照構成を決定させる
請求項２９に記載のプログラム。
【請求項３７】
前記ＳＣｅｌｌの前記ＤＬ参照構成は、前記ＳＣｅｌｌの前記ＵＬ−ＤＬ構成とは異なる
請求項３６に記載のプログラム。
【請求項３８】
前記ＤＡＩは、前記上りリンクサブフレームに関連付けられるサービングセルの上りリンク送信リソースを割り当てる下りリンク制御情報（ＤＣＩ）に含まれ、前記ＤＣＩはＤＣＩフォーマット０またはＤＣＩフォーマット４のフォーマットを有する
請求項２９から３７の何れか一項に記載のプログラム。
【請求項３９】
ユーザ機器（ＵＥ）が使用する装置であって、
複数の構成されたサービングセルを介して通信するトランシーバ回路と、
前記トランシーバ回路に結合されたフィードバック制御器と、
を備え、
前記複数の構成されたサービングセルのうちの少なくとも２つは、異なる時分割デュープレックス（ＴＤＤ）上りリンク下りリンク（ＵＬ−ＤＬ）構成を有し、
前記フィードバック制御器は、
前記複数の構成されたサービングセルの第１のサービングセルに関連付けられる上りリンクサブフレームのリソースを割り当てる下りリンク制御情報（ＤＣＩ）を受信し、前記ＤＣＩは下りリンク割り当てインデックス（ＤＡＩ）を含み、
前記ＤＡＩに基づき値を決定し、
前記上りリンクサブフレームに関連付けられるバンドリングウィンドウ内に含まれる、前記複数の構成されたサービングセルの第２のサービングセルの下りリンクサブフレーム及び特別なサブフレームの数を決定し、
前記ＵＥが前記第２のサービングセルに対する複数のハイブリッド自動再送要求送達確認ビット（複数のＨＡＲＱ−ＡＣＫビット）をフィードバックする複数の下りリンクサブフレームの数に対応する前記バンドリングウィンドウに含まれる、複数の下りリンクサブフレームまたは複数の特別なサブフレームの前記決定された数、または前記決定された値の小さい方を選択する
装置。
【請求項４０】
前記フィードバック制御器はさらに、前記ＵＥが前記第２のサービングセルに対する複数のＨＡＲＱ−ＡＣＫビットをフィードバックする複数のサブフレームの前記数に基づき、及び前記第２のサービングセルの送信モードにおいて下りリンクサブフレーム毎にサポートされる複数のトランスポートブロックの数に基づき、前記上りリンクサブフレームにおいて送信される、前記第２のサービングセルの複数のＨＡＲＱ−ＡＣＫビットの数を決定する
請求項３９に記載の装置。
【請求項４１】
前記フィードバック制御器は、前記第２のサービングセルの複数のＨＡＲＱ−ＡＣＫビットの前記決定された数に基づき、前記上りリンクサブフレームに関連付けられるコードブックサイズを決定する
請求項４０に記載の装置。
【請求項４２】
前記トランシーバ回路は、前記上りリンクサブフレームの複数の物理的な上りリンク共有チャネル（ＰＵＳＣＨ）リソース要素を前記複数のＨＡＲＱ−ＡＣＫビットでパンクチャリングする
請求項４０に記載の装置。
【請求項４３】
前記トランシーバ回路は、前記複数の構成されたサービングセルの全ての個々のサービングセルの前記ＵＬ−ＤＬ構成は構成０、１、２、３、４または６であるとの決定に応じて、前記ＵＥが前記第２のサービングセルに対する複数のＨＡＲＱ−ＡＣＫビットをフィードバックする必要がある複数の下りリンクサブフレームの前記数に対応する複数の下りリンクサブフレームの前記決定された数、または前記決定された値のうちの小さい方を選択する
請求項３９から４２の何れか一項に記載の装置。
【請求項４４】
前記ＤＡＩに基づき決定された前記値は、前記複数の構成されたサービングセルの複数のバンドリングウィンドウ内の複数のスケジュールされた下りリンクサブフレームの数の最大値に対応する
請求項３９に記載の装置。
【請求項４５】
前記フィードバック制御器は、
前記第１のサービングセルに対してＵＬ−ＤＬ構成を決定し、
前記第２のサービングセルに対してＵＬ−ＤＬ構成を決定し、
前記第１のサービングセルの前記ＵＬ−ＤＬ構成及び前記第２のサービングセルの前記ＵＬ−ＤＬ構成に基づき、前記第２のサービングセルに対してＤＬ参照構成を決定する
請求項３９に記載の装置。
【請求項４６】
請求項３９に記載の装置を備え、前記装置に結合されるタッチスクリーンディスプレイをさらに備えるＵＥ。
【請求項４７】
発展型ノードＢ（ｅＮＢ）に、
ユーザ機器（ＵＥ）へ構成情報を送信させ、前記ＵＥが複数のサービングセルによって前記ｅＮＢと通信するよう構成し、ここで、前記複数のサービングセルのうちの少なくとも２つは異なる時分割デュープレックス（ＴＤＤ）上りリンク下りリンク（ＵＬ−ＤＬ）構成を有し、
前記ＵＥへ下りリンク割り当てインデックス（ＤＡＩ）を送信させ、
前記複数のサービングセルの複数のバンドリングウィンドウに関連付けられる上りリンクサブフレーム内で前記ｅＮＢが受信する複数のハイブリッド自動再送要求送達確認ビット（複数のＨＡＲＱ−ＡＣＫビット）を処理させ、
前記複数のサービングセルの第１のサービングセルの前記上りリンクサブフレームにおける前記複数のＨＡＲＱ−ＡＣＫビットの数は、
前記ＤＡＩに対応する値、または
前記上りリンクサブフレームに関連付けられる前記バンドリングウィンドウに含まれる、第１のサービングセルの、複数の下りリンクサブフレームまたは複数の特別なサブフレームの数、のうちの小さい方に基づく、
プログラム。
【請求項４８】
前記上りリンクサブフレーム内の前記複数のＨＡＲＱ−ＡＣＫビットの前記数はさらに、前記複数のサービングセルの送信モードの下りリンクサブフレーム毎にサポートされる複数のトランスポートブロックの数に基づく
請求項４７に記載のプログラム。
【請求項４９】
前記上りリンクサブフレームは、前記複数のサービングセルの第２のサービングセルによって受信される
請求項４７に記載のプログラム。
【請求項５０】
前記ＤＡＩは、前記上りリンクサブフレームのリソースを割り当てる下りリンク制御情報（ＤＣＩ）に含まれ、前記ＤＣＩは、ＤＣＩフォーマット０またはＤＣＩフォーマット４のフォーマットを有する
請求項４７から４９の何れか一項に記載のプログラム。
【請求項５１】
ユーザ機器（ＵＥ）が実行する方法であって、
複数のサービングセルの個々のサービングセルに対する、それぞれの時分割デュープレックス（ＴＤＤ）上りリンク下りリンク（ＵＬ−ＤＬ）構成を示すべく前記複数のサービングセルの構成情報を受信する段階と、
ここで、前記複数のサービングセルの少なくとも２つは異なるＴＤＤ  ＵＬ−ＤＬ構成を有し、
上りリンクサブフレームに関連付けられるサービングセルの上りリンク送信リソースを割り当てる、下りリンク割り当てインデックス（ＤＡＩ）を受信する段階と、
前記ＤＡＩに基づき値を決定する段階と、
複数のサービングセルの第１のサービングセルに対して、前記上りリンクサブフレームに関連付けられるバンドリングウィンドウに含まれる、複数の下りリンクサブフレームまたは複数の特別なサブフレームの数を決定する段階と、
前記ＵＥが前記第１のサービングセルに対する複数のハイブリッド自動再送要求送達確認ビット（複数のＨＡＲＱ−ＡＣＫビット）をフィードバックする必要がある複数のサブフレームの数に対応する前記バンドリングウィンドウに含まれる、複数の下りリンクサブフレームまたは複数の特別なサブフレームの前記決定された数、または前記決定された値のうちの小さい方を選択する段階と、
を備える
方法。
【請求項５２】
前記ＵＥが前記第１のサービングセルに対して複数のＨＡＲＱ−ＡＣＫビットをフィードバックする必要がある複数の下りリンクサブフレームの前記数に基づき、及び、前記第１のサービングセルの送信モードにおける下りリンクサブフレーム毎にサポートされる複数のトランスポートブロックの数に基づき、前記第１のサービングセルの前記上りリンクサブフレームにおいて送信される複数のＨＡＲＱ−ＡＣＫビットの数を決定する段階と、
前記第１のサービングセルの前記上りリンクサブフレームにおいて送信される複数のＨＡＲＱ−ＡＣＫビットの前記決定された数に基づき、前記複数のサービングセルのコードブックに関連付けられる複数のＨＡＲＱ−ＡＣＫビットの総数を決定する段階と、
をさらに備える
請求項５１に記載の方法。
【請求項５３】
前記ＵＥが前記第１のサービングセルに対する複数のＨＡＲＱ−ＡＣＫビットをフィードバックする必要がある複数の下りリンクサブフレームの前記数に対応する複数の下りリンクサブフレームの前記決定された数、または前記決定された値のうちの小さい方を選択する段階は、前記複数のサービングセルのうちの全ての前記ＵＬ−ＤＬ構成が、構成０、１、２、３、４または６のうちの１つであるという決定に応じて実行される
請求項５１または５２に記載の方法。
【国際調査報告】
2015515786.tif 000123
2015515786.tif 000124
2015515786.tif 000125